(57)【要約】無線通信システムにおける初期アクセス手続を遂行するための方法及び装置が提供される。本発明は無線通信に関し、より詳しくは、単一周波数または多重周波数を超える多重搬送波で構成される無線通信システムにおける初期アクセス手続を遂行するための方法及び装置に関する。無線装置は、ＤＴＸ（ｄｉｓｃｏｎｔｉｎｕｏｕｓ  ｔｒａｎｓｍｉｓｓｉｏｎ）セルからディスカバリ信号を受信することによって、ＤＴＸ状態で動作するＤＴＸセルを検出し、ＤＴＸ状態からＴＸ（ｃｏｎｔｉｎｕｏｕｓ  ｔｒａｎｓｍｉｓｓｉｏｎ）状態に転送するＤＴＸセルを要請するために初期要請メッセージをＤＴＸセルに転送する。【選択図】図７
2016508686.tif 000002
【特許請求の範囲】
【請求項１】
無線通信システムにおける無線装置により遂行される初期アクセス手続を遂行するための方法であって、
ＤＴＸ（ｄｉｓｃｏｎｔｉｎｕｏｕｓ  ｔｒａｎｓｍｉｓｓｉｏｎ）セルからディスカバリ信号を受信することによってＤＴＸ状態で動作するＤＴＸセルを検出するステップと、
ＤＴＸ状態からＴＸ（ｃｏｎｔｉｎｕｏｕｓ  ｔｒａｎｓｍｉｓｓｉｏｎ）状態に転送するＤＴＸセルを要請するためにＤＴＸセルに初期要請メッセージを転送するステップと、
ＤＴＸ状態からＴＸ状態に転送するＴＸセルから同期信号を受信するステップと、
ＴＸ状態で動作するＴＸセルと共にＲＡＣＨ（ｒａｎｄｏｍ  ａｃｃｅｓｓ）手続を遂行するステップと、
を含むことを特徴とする、方法。
【請求項２】
前記ＤＴＸ状態で前記ＤＴＸセルが前記ＴＸ状態で転送される参照信号及び同期信号の数より少ない参照信号及び同期信号を転送することを特徴とする、請求項１に記載の方法。
【請求項３】
前記ＤＴＸ状態で前記ＤＴＸセルがシステム情報を転送しないことをさらに含むことを特徴とする、請求項２に記載の方法。
【請求項４】
前記初期要請メッセージを転送するための設定を獲得するステップをさらに含み、かつ前記設定はサブフレーム情報及び資源情報を含み、前記サブフレーム情報は前記ディスカバリ信号が受信されるサブフレームと前記初期要請メッセージが転送されるサブフレーム間のサブフレーム差（ｇａｐ）を指示し、前記資源情報は前記ディスカバリ信号が受信される帯域幅内の少なくとも２つの資源ブロックを指示し、シーケンス設定は前記ディスカバリ信号から得られたシーケンスインデックス（ｓｅｑｕｅｎｃｅ  ｉｎｄｅｘ）を指示することを特徴とする、請求項１に記載の方法。
【請求項５】
前記初期要請メッセージは、前記ディスカバリ信号に基づいて決定されたサブフレームのうちの１つを含むサブフレームで転送されることを特徴とする、請求項４に記載の方法。
【請求項６】
前記初期要請メッセージは、前記ディスカバリ信号に基づいて決定されたアップリンク資源を使用して転送されることを特徴とする、請求項４に記載の方法。
【請求項７】
前記初期要請メッセージは、前記ディスカバリ信号から得られた前記シーケンスインデックスを使用して転送されることを特徴とする、請求項４に記載の方法。
【請求項８】
前記ＤＴＸ状態で前記ＤＴＸセルにより転送される前記ディスカバリ信号のための転送周期は前記ＴＸ状態で前記ＴＸセルにより転送される測定信号のための転送周期より長いことを特徴とする、請求項１に記載の方法。
【請求項９】
前記ＤＴＸセルを検出するステップは、
前記ＤＲＸセルで動作する複数のセルからの複数のディスカバリ信号を受信するステップと、
前記複数のセルからＤＴＸセルを選択するステップと、
を含むことを特徴とする、請求項１に記載の方法。
【請求項１０】
前記ＤＴＸセルを検出するステップは、
前記複数のディスカバリ信号を受信する前に基地局から測定設定を受信するステップをさらに含み、かつ前記測定設定は前記複数のセルに対するセル情報を含み、及び測定差は前記複数のディスカバリ信号が受信されるサブフレームを含むことを特徴とする、請求項９に記載の方法。
【請求項１１】
無線通信システムにおける初期アクセス手続を遂行する無線装置であって、
無線信号を送受信するためのＲＦ（ｒａｄｉｏ  ｆｒｅｑｕｅｎｃｙ）部、及び
前記ＲＦ部に動作的に連結されるプロセッサを含み、かつ前記プロセッサは
ＤＴＸ（ｄｉｓｃｏｎｔｉｎｕｏｕｓ  ｔｒａｎｓｍｉｓｓｉｏｎ）セルからディスカバリ信号を受信することによってＤＴＸ状態で動作するＤＴＸセルを検出し、
ＤＴＸ状態からＴＸ（ｃｏｎｔｉｎｕｏｕｓ  ｔｒａｎｓｍｉｓｓｉｏｎ）状態に転送するＤＴＸセルを要請するためにＤＴＸセルに初期要請メッセージを転送し、
ＤＴＸ状態からＴＸ状態に転送するＴＸセルから同期信号を受信し、
ＴＸ状態で動作するＴＸセルと共にＲＡＣＨ（ｒａｎｄｏｍ  ａｃｃｅｓｓ）手続を遂行することを特徴とする、無線装置。
【請求項１２】
前記プロセッサは、
前記初期要請メッセージを転送するための設定を獲得し、かつ前記設定はサブフレーム情報及び資源情報を含み、前記サブフレーム情報は前記ディスカバリ信号が受信されるサブフレームと前記初期要請メッセージが転送されるサブフレームとの間のサブフレーム差（ｇａｐ）を指示し、前記資源情報は前記ディスカバリ信号が受信される帯域幅内の少なくとも２つの資源ブロックを指示し、シーケンス設定は前記ディスカバリ信号から得られたシーケンスインデックス（ｓｅｑｕｅｎｃｅ  ｉｎｄｅｘ）を指示することを特徴とする、請求項１１に記載の無線装置。
【請求項１３】
前記初期要請メッセージは、前記ディスカバリ信号に基づいて決定されたアップリンク資源を使用する前記ディスカバリ信号に基づいて決定されたサブフレームのうちの１つを含むサブフレームで転送されることを特徴とする、請求項１１に記載の無線装置。
【請求項１４】
前記初期要請メッセージは、前記ディスカバリ信号から得られた前記シーケンスインデックスを使用して転送されることを特徴とする、請求項１１に記載の無線装置。
【請求項１５】
前記プロセッサは、
前記複数のディスカバリ信号を受信する前に基地局から測定設定を受信するステップをさらに含み、かつ前記測定設定は前記複数のセルに対するセル情報を含み、及び測定差は前記複数のディスカバリ信号が受信されるサブフレームを含むことを特徴とする、請求項１１に記載の無線装置。
【発明の詳細な説明】
【技術分野】
【０００１】
本発明は無線通信に関し、より詳しくは、単一周波数または多重周波数を超える多重搬送波で構成される無線通信システムにおける初期アクセス手続を遂行するための方法及び装置に関する。
【背景技術】
【０００２】
ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の向上である３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（ｌｏｎｇ  ｔｅｒｍ  ｅｖｏｌｕｔｉｏｎ）は、３ＧＰＰリリーズ（ｒｅｌｅａｓｅ）８として紹介されている。３ＧＰＰ  ＬＴＥはダウンリンクでＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）を使用し、アップリンクでＳＣ−ＦＤＭＡ（Ｓｉｎｇｌｅ  Ｃａｒｒｉｅｒ−ｆｒｅｑｕｅｎｃｙ  ｄｉｖｉｓｉｏｎ  ｍｕｌｔｉｐｌｅ  ａｃｃｅｓｓ）を使用する。最大４個のアンテナを有するＭＩＭＯ（ｍｕｌｔｉｐｌｅ  ｉｎｐｕｔ  ｍｕｌｔｉｐｌｅ  ｏｕｔｐｕｔ）を採用する。最近には３ＧＰＰ  ＬＴＥの進化である３ＧＰＰ  ＬＴＥ−Ａ（ＬＴＥ−Ａｄｖａｎｃｅｄ）に対する議論が進行中である。
【０００３】
３ＧＰＰ  ＬＴＥ（Ａ）システムの商業化が最近に加速されているところである。ＬＴＥシステムは音声サービスのように移動性を確保し、かつより高い品質とより高い容量をサポートすることができるサービスに対するユーザの要求によって、より速く拡散される。ＬＴＥシステムは低い転送遅延、高い転送速度とシステム容量、そして向上したカバレッジを提供する。
【０００４】
ユーザの要求に従うサービス容量を増加させるために、帯域幅を増加させることは必須的である。搬送波集成（ｃａｒｒｉｅｒ  ａｇｇｒｅｇａｔｉｏｎ；ＣＡ）技術は効果を得ることを目標にして、あたかも論理的に一層広いバンドが使われ、周波数領域で複数の物理的に不連続的なバンドをグループ化することによって、分裂された小型バンドを効率的に使用するように発展している。搬送波集成によりグループ化した個別的な単位搬送波は要素搬送波（ｃｏｍｐｏｎｅｎｔ  ｃａｒｒｉｅｒ；ＣＣ）として知られている。各々の要素搬送波は１つの帯域幅及び中心周波数に定義される。
【０００５】
複数の要素搬送波を通じて広帯域でデータが送受信されるシステムは、多重要素搬送波システム（ｍｕｌｔｉ−ＣＣ  ｓｙｓｔｅｍ）または搬送波集成環境と呼ばれることができる。多重要素搬送波システムは、１つ以上の搬送波を使用することによって、狭帯域及び広帯域を両方とも遂行する。例えば、各々の副搬送波が２０ＭＨｚの帯域幅に相応すれば、最大帯域幅１００ＭＨｚは５個の搬送波を使用してサポートできる。
【０００６】
多重要素搬送波システムを動作させるために、ｅＮＢ（ｅｎｈａｎｃｅｄ  Ｎｏｄｅ  Ｂ）のような基地局（ＢＳ）とターミナル（Ｔｅｒｍｉｎａｌ）のような端末（ＵＥ）との間に多様な制御信号が要求される。また、多重要素搬送波のための効率的なセルプレーニング（ｃｅｌｌ  ｐｌａｎｎｉｎｇ）も要求される。また、多様な信号または効率的なセルプレーニング（ｃｅｌｌ  ｐｌａｎｎｉｎｇ）技法はセル間干渉減少（ｉｎｔｅｒ−ｃｅｌｌ  ｉｎｔｅｒｆｅｒｅｎｃｅ  ｒｅｄｕｃｔｉｏｎ）と搬送波拡張（ｃａｒｒｉｅｒ  ｅｘｔｅｎｓｉｏｎｓ）をサポートするためにｅＮＢと端末との間に転送されることが要求される。その上、端末のためのｅＮＢの中に調整によるノード間資源割当（ｉｎｔｅｒ−ｎｏｄｅ  ｒｅｓｏｕｒｃｅ  ａｌｌｏｃａｔｉｏｎ）も多重要素搬送波集成が多数のｅＮＢ／ノードを超えて達成されれば実現可能である。その上、ユーザ処理量（ｔｈｒｏｕｇｈｐｕｔ）を増進させるために、密集して配置された小型セルに対するデータオフローディング（ｄａｔａ  ｏｆｆ  ｌｏａｄｉｎｇ）も考慮される。動作費用を最小化し、またエネルギー低減を最大化するために、動的セルオン／オフ（ｏｎ／ｏｆｆ）及び自律−最適化（ｓｅｌｆ−ｏｐｔｉｍｉｚｉｎｇ）小型セル動作が考慮される。小型セルシナリオのための効率的な動作技法は制限された（または、除去された）制御がクラスタ内にセル中にどんなタイト（ｔｉｇｈｔ）な調整が考慮され、クラスタに属するセルが干渉を最小化し、効率性を最大化するために動的セルオン／オフを遂行することができる場合の小型セルクラスタ環境を使用してスペクトル効率（ｓｐｅｃｔｒａｌ  ｅｆｆｉｃｉｅｎｃｙ）及びセル管理を向上させるために転送される場合に新たな搬送波類型を含む。ネットワークの動きが変化できるように（即ち、ネットワークはオフ状態でありうる）、レガシー同期信号が小型セルクラスタで転送されない場合、セルで初期アクセス手続を遂行することは定義される必要がある。
【発明の概要】
【発明が解決しようとする課題】
【０００７】
本発明は、無線通信システムにおける初期アクセス手続を遂行するための方法及び装置を提供する。
【０００８】
また、本発明は無線通信システムにおけるセルを検出するための方法及び装置を提供する。
【０００９】
また、本発明は無線通信システムにおけるシステム情報及び同期信号のためのＤＴＸ（ｄｉｓｃｏｎｔｉｎｕｏｕｓ  ｔｒａｎｓｍｉｓｓｉｏｎ）セルであるオフ状態からシステム情報及び同期信号のためのＴＸ（ｔｒａｎｓｍｉｓｓｉｏｎ）セルであるオン状態までのセル状態を変化させるための方法及び装置を提供する。
【課題を解決するための手段】
【００１０】
一態様によれば、無線通信システムにおける初期アクセス手続を遂行するための方法を提供する。上記方法はＤＴＸセルからディスカバリ信号を受信することによって、ＤＴＸ状態で動作するＤＴＸセルを検出するステップ；ＤＴＸ状態からＴＸ（ｃｏｎｔｉｎｕｏｕｓ  ｔｒａｎｓｍｉｓｓｉｏｎ）状態に転送するＤＴＸセルを要請するためにＤＴＸセルに初期要請メッセージを転送するステップ；ＤＴＸ状態からＴＸ状態に転送するＴＸセルから同期信号を受信するステップ；及びＴＸ状態で動作するＴＸセルと共にＲＡＣＨ（ｒａｎｄｏｍ  ａｃｃｅｓｓ）手続を遂行するステップを含む。
【００１１】
上記方法は、上記初期要請メッセージを転送するための設定を獲得するステップをさらに含み、かつ上記設定はサブフレーム情報及び資源情報を含み、上記サブフレーム情報は上記ディスカバリ信号が受信されるサブフレームと上記初期要請メッセージが転送されるサブフレームとの間のサブフレーム差（ｇａｐ）を指示し、上記資源情報は上記ディスカバリ信号が受信される帯域幅内の少なくとも２つの資源ブロックを指示することを特徴とする。
【００１２】
更に他の態様によれば、無線通信システムにおける初期アクセス手続を遂行するための無線装置が提供される。無線装置は、無線信号を送受信するためのＲＦ（ｒａｄｉｏ  ｆｒｅｑｕｅｎｃｙ）部；及び上記ＲＦ部に動作的に連結されるプロセッサを含み、かつ上記プロセッサはＤＴＸ（ｄｉｓｃｏｎｔｉｎｕｏｕｓ  ｔｒａｎｓｍｉｓｓｉｏｎ）セルからディスカバリ信号を受信することによって、ＤＴＸ状態で動作するＤＴＸセルを検出し；ＤＴＸ状態からＴＸ（ｃｏｎｔｉｎｕｏｕｓ  ｔｒａｎｓｍｉｓｓｉｏｎ）状態に転送するＤＴＸセルを要請するためにＤＴＸセルに初期要請メッセージを転送し；ＤＴＸ状態からＴＸ状態に転送するＴＸセルから同期信号を受信し；及びＴＸ状態で動作するＴＸセルと共にＲＡＣＨ（ｒａｎｄｏｍ  ａｃｃｅｓｓ）手続を遂行することを特徴とする。
【発明の効果】
【００１３】
提案された実施形態は、無線装置がＲＡＣＨ（ｒａｎｄｏｍ  ａｃｃｅｓｓ）手続の同期信号及びシステム情報を獲得するためにＤＴＸ（ｄｉｓｃｏｎｔｉｎｕｏｕｓ  ｔｒａｎｓｍｉｓｓｉｏｎ）状態からＴＸ（ｃｏｎｔｉｎｕｏｕｓ  ｔｒａｎｓｍｉｓｓｉｏｎ）状態に転送するＤＴＸセルを要請するためにＤＴＸセルに初期要請メッセージを転送することをサポートする。このように、より効率的で、迅速な初期アクセス及びデータスケジューリングがサポートされる。
【図面の簡単な説明】
【００１４】
【図１】本発明が適用される無線通信システムを示す。
【図２】本発明が適用される無線フレーム（ｒａｄｉｏ  ｆｒａｍｅ）の構造を示す。
【図３】本発明が適用される１つのダウンリンクスロットのための資源グリッド（ｒｅｓｏｕｒｃｅ  ｇｒｉｄ）を示す好ましい図である。
【図４】本発明が適用されるダウンリンクサブフレームの構造を示す。
【図５】本発明が適用されるＡＣＫ／ＮＡＣＫ信号を伝達するアップリンクサブフレームの構造の一例を示す図である。
【図６】本発明の好ましい実施形態として初期アクセス手続を遂行するための時間流れ図を示す。
【図７】本発明の好ましい実施形態としてディスカバリ及び端末初期ｗａｋｅ−ｕｐ信号のハイブリッド（ｈｙｂｒｉｄ）に対する代案を示す。
【図８】本発明の好ましい実施形態としてセルオン／オフによるＲＲＭ測定のための時間流れ図を示す。
【図９】本発明が適用されるセルオン／オフ及びレガシー搬送波共存に対する概念の一例を示す。
【図１０】本発明の好ましい実施形態に従う無線通信システムを示すブロック図を示す。
【発明を実施するための形態】
【００１５】
図１は、本発明が適用される無線通信システムを示す。これはＥ−ＵＴＲＡＮ（Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）、またはＬＴＥ（Ｌｏｎｇ  Ｔｅｒｍ  Ｅｖｏｌｕｔｉｏｎ）／ＬＴＥ−Ａシステムとも呼ばれることができる。
【００１６】
Ｅ−ＵＴＲＡＮは、端末１０（Ｕｓｅｒ  Ｅｑｕｉｐｍｅｎｔ；ＵＥ）に制御平面（ｃｏｎｔｒｏｌ  ｐｌａｎｅ）とユーザ平面（ｕｓｅｒ  ｐｌａｎｅ）を提供する基地局２０（Ｂａｓｅ  Ｓｔａｔｉｏｎ；ＢＳ）を含む。端末１０は固定されるか、または移動性を有することができ、ＭＳ（Ｍｏｂｉｌｅ  ｓｔａｔｉｏｎ）、ＵＴ（Ｕｓｅｒ  Ｔｅｒｍｉｎａｌ）、ＳＳ（Ｓｕｂｓｃｒｉｂｅｒ  Ｓｔａｔｉｏｎ）、ＭＴ（ｍｏｂｉｌｅ  ｔｅｒｍｉｎａｌ）、無線機器（Ｗｉｒｅｌｅｓｓ  Ｄｅｖｉｃｅ）など、他の用語として呼ばれることができる。基地局２０は端末１０と通信する固定された地点（ｆｉｘｅｄ  ｓｔａｔｉｏｎ）をいい、ｅＮＢ（ｅｖｏｌｖｅｄ−Ｎｏｄｅ  Ｂ）、ＢＴＳ（Ｂａｓｅ  Ｔｒａｎｓｃｅｉｖｅｒ  Ｓｙｓｔｅｍ）、アクセスポイント（Ａｃｃｅｓｓ  Ｐｏｉｎｔ）など、他の用語として呼ばれることができる。
【００１７】
無線通信システムに適用される多重接続技法は制限されない。即ち、ＣＤＭＡ（Ｃｏｄｅ  Ｄｉｖｉｓｉｏｎ  Ｍｕｌｔｉｐｌｅ  Ａｃｃｅｓｓ）、ＴＤＭＡ（Ｔｉｍｅ  Ｄｉｖｉｓｉｏｎ  Ｍｕｌｔｉｐｌｅ  Ａｃｃｅｓｓ）、ＦＤＭＡ（Ｆｒｅｑｕｅｎｃｙ  Ｄｉｖｉｓｉｏｎ  Ｍｕｌｔｉｐｌｅ  Ａｃｃｅｓｓ）、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、ＳＣ−ＦＤＭＡ（Ｓｉｎｇｌｅ  Ｃａｒｒｉｅｒ−ＦＤＭＡ）、ＯＦＤＭ−ＦＤＭＡ、ＯＦＤＭ−ＴＤＭＡ、ＯＦＤＭ−ＣＤＭＡのような多様な多重接続技法が使用できる。アップリンク転送及びダウンリンク転送に対し、異なる時間を使用することにより転送するＴＤＤ（Ｔｉｍｅ  Ｄｉｖｉｓｉｏｎ  Ｄｕｐｌｅｘ）技法、または異なる周波数を使用することにより転送するＦＤＤ（Ｆｒｅｑｕｅｎｃｙ  Ｄｉｖｉｓｉｏｎ  Ｄｕｐｌｅｘ）技法が使用できる。
【００１８】
基地局２０は、Ｘ２インターフェースを介して互いに連結できる。基地局２０は、Ｓ１インターフェースを介してＥＰＣ（Ｅｖｏｌｖｅｄ  Ｐａｃｋｅｔ  Ｃｏｒｅ）３０、より詳しくは、Ｓ１−ＭＭＥを通じてＭＭＥ（Ｍｏｂｉｌｉｔｙ  Ｍａｎａｇｅｍｅｎｔ  Ｅｎｔｉｔｙ）と、Ｓ１−Ｕを通じてＳ−ＧＷ（Ｓｅｒｖｉｎｇ  Ｇａｔｅｗａｙ）と連結される。
【００１９】
ＥＰＣ３０は、ＭＭＥ、Ｓ−ＧＷ、及びＰ−ＧＷ（Ｐａｃｋｅｔ  Ｄａｔａ  Ｎｅｔｗｏｒｋ−Ｇａｔｅｗａｙ）で構成される。ＭＭＥは、端末の接続情報や端末の能力に関する情報を有しており、このような情報は端末の移動性管理に主に使われる。Ｓ−ＧＷはＥ−ＵＴＲＡＮを終端点として有するゲートウェイであり、Ｐ−ＧＷはＰＤＮを終端点として有するゲートウェイである。
【００２０】
端末とネットワークとの間の無線インターフェースプロトコル（Ｒａｄｉｏ  Ｉｎｔｅｒｆａｃｅ  Ｐｒｏｔｏｃｏｌ）の階層は通信システムにおける広く知られた開放型システム間の相互接続（Ｏｐｅｎ  Ｓｙｓｔｅｍ  Ｉｎｔｅｒｃｏｎｎｅｃｔｉｏｎ；ＯＳＩ）基準モデルの下位３個階層に基づいてＬ１（第１階層）、Ｌ２（第２階層）、及びＬ３（第３階層）に区分できるが、そのうち、第１階層に属する物理階層は物理チャンネル（Ｐｈｙｓｉｃａｌ  Ｃｈａｎｎｅｌ）を用いた情報戦ソングサービス（Ｉｎｆｏｒｍａｔｉｏｎ  Ｔｒａｎｓｆｅｒ  Ｓｅｒｖｉｃｅ）を提供し、第３階層に位置するＲＲＣ（Ｒａｄｉｏ  Ｒｅｓｏｕｒｃｅ  Ｃｏｎｔｒｏｌ）階層は端末とネットワークとの間に無線資源を制御する役割を遂行する。このために、ＲＲＣ階層は端末と基地局との間のＲＲＣメッセージを交換する。
【００２１】
図２は、本発明が適用される無線フレーム（ｒａｄｉｏ  ｆｒａｍｅ）の構造を示す。
【００２２】
図２を参照すると、無線フレームは１０個のサブフレーム（ｓｕｂｆｒａｍｅ）で構成され、１つのサブフレームは２つのスロット（ｓｌｏｔ）で構成される。１つのサブフレームの転送にかかる時間をＴＴＩ（Ｔｒａｎｓｍｉｓｓｉｏｎ  Ｔｉｍｅ  Ｉｎｔｅｒｖａｌ）という。ＴＴＩは、データ転送のためのスケジューリング単位ということができる。例えば、１つの無線フレームの長さは１０ｍｓで、１つのサブフレームの長さは１ｍｓで、１つのスロットの長さは０．５ｍｓでありうる。
【００２３】
１つのスロットは、時間領域（ｔｉｍｅ  ｄｏｍａｉｎ）で複数のＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルを含み、周波数領域で複数の資源ブロック（Ｒｅｓｏｕｒｃｅ  Ｂｌｏｃｋｓ；ＲＢｓ）を含む。ダウンリンクＯＦＤＭＡは３ＧＰＰ  ＬＴＥで使われ、ＳＣ−ＦＤＭＡシンボルまたは多重接続技法に依存するシンボル周期と呼ばれることができるので、ＯＦＤＭシンボルは１つのシンボル区間（ｓｙｍｂｏｌ  ｐｅｒｉｏｄ）を表現するためのものである。資源ブロックは資源割当単位であり、１つのスロット内にある複数の連続的な副搬送波を含む。１つのスロットに含まれるＯＦＤＭシンボルの個数はＣＰ（Ｃｙｃｌｉｃ  Ｐｒｅｆｉｘ）の設定によって変更できる。
【００２４】
ＣＰは拡張（ｅｘｔｅｎｄｅｄ）ＣＰ及び一般（ｎｏｒｍａｌ）ＣＰを含む。例えば、仮に一般ＣＰの場合、ＯＦＤＭシンボルは７個で構成される。仮に、拡張ＣＰにより設定されれば、１つのスロットで６個のＯＦＤＭシンボルを含む。仮に、チャンネル状態があたかも速い速度の端末で動くように不安定であれば、拡張ＣＰはシンボル間の干渉を減少させるように設定できる。
【００２５】
ここで、上記無線フレームの構造は一例に過ぎない。したがって、無線フレームに含まれるサブフレームの個数やサブフレームに含まれるスロットの個数、またはスロットに含まれるＯＦＤＭシンボルの個数は新たな通信システムに適用するために多様に変更できる。本発明は、特定の特徴を変化させることにより他のシステムに合せることに如何なる制限はなく、本発明の実施形態はシステムに相応する変化できる方法を適用することができる。
【００２６】
図３は、本発明が適用される１つのダウンリンクスロットのための資源グリッド（ｒｅｓｏｕｒｃｅ  ｇｒｉｄ）を示す好ましい図である。
【００２７】
図３を参照すると、ダウンリンクスロットは時間領域で複数のＯＦＤＭシンボルを含む。ここで、１つのダウンリンクスロットは７個のＯＦＤＭシンボルを含むものとして例示し、１つの資源ブロック（Ｒｅｓｏｕｒｃｅ  Ｂｌｏｃｋ）は周波数領域で１２つの副搬送波を含むものとして例示したが、それに制限されるものではない。
【００２８】
資源グリッド上での各要素は、ＲＥ（Ｒｅｓｏｕｒｃｅ  Ｅｌｅｍｅｎｔ）と呼ばれる。１つの資源ブロックは１２Ｘ７（または、６）ＲＥを含む。ダウンリンクスロットに含まれる資源ブロックの数（ＮＤＬ）はセル内に設定されたダウンリンク転送帯域幅に依存する。ＬＴＥで考慮される帯域幅は１．４ＭＨｚ、３ＭＨｚ、５ＭＨｚ、１０ＭＨｚ、１５ＭＨｚ、及び２０ＭＨｚである。仮に、帯域幅が資源ブロックの数で表現されれば、それらは相対的に６、１５、２５、５０、７５、及び１００である。各バンドに対応する１つ以上の資源ブロックはＲＢＧ（Ｒｅｓｏｕｒｃｅ  Ｂｌｏｃｋ  Ｇｒｏｕｐ）から結合できる。例えば、２つの連続する資源ブロックは１つのＲＢＧを形成することができる。
【００２９】
ＬＴＥで、各帯域幅に対する資源ブロックの総数及びＲＢＧを形成する資源ブロックの数を＜表１＞に示す。
【００３０】
【表１】
2016508686.tif 000003
【００３１】
＜表１＞を参照すると、使用可能な資源ブロックの総数は与えられた帯域幅によって異なる。資源ブロックの総数が異なるということは、資源割当を示す情報のサイズが異なるということを意味する。
【００３２】
図４は、本発明が適用されるダウンリンクサブフレームの構造を示す。
【００３３】
図４を参照すると、サブフレームは２つのスロットを含む。サブフレーム内に第１のスロットの以前の０または１または２または３ＯＦＤＭシンボルは、制御チャンネルが割り当てられる制御領域に対応し、残りのＯＦＤＭシンボルはＰＤＳＣＨが割り当てられるデータ領域となる。
【００３４】
３ＧＰＰ  ＬＴＥで使われるダウンリンク制御チャンネルの例は、ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、ＰＤＣＣＨ（Ｐｈｙｓｉｃａｌ  Ｄｏｗｎｌｉｎｋ  Ｃｏｎｔｒｏｌ  Ｃｈａｎｎｅｌ）、及びＰＨＩＣＨ（Ｐｈｙｓｉｃａｌ  Ｈｙｂｒｉｄ−ＡＲＱ  Ｉｎｄｉｃａｔｏｒ  Ｃｈａｎｎｅｌ）を含む。
【００３５】
サブフレームの最初のＯＦＤＭシンボルの上で転送されるＰＣＦＩＣＨはサブフレームで制御チャンネルの転送のために使われるＯＦＤＭシンボル（即ち、制御領域のサイズ）の数と関連したＣＦＩ（ｃｏｎｔｒｏｌ  ｆｏｒｍａｔ  ｉｎｄｉｃａｔｏｒ）を伝達する。これは、サブフレーム内で制御チャンネルの転送のために使われるＯＦＤＭシンボルの数と関連した情報を伝達するものである。端末はＰＣＦＩＣＨ上で初めてＣＦＩを受信し、その以後にＰＤＣＣＨをモニタリングする。
【００３６】
ＰＨＩＣＨは、アップリンクＨＡＲＱ（Ｈｙｂｒｉｄ  Ａｕｔｏｍａｔｉｃ  Ｒｅｐｅａｔ  Ｒｅｑｕｅｓｔ）に対する反応でＡＣＫ（ａｃｋｎｏｗｌｅｄｇｅｍｅｎｔ）／ＮＡＣＫ（ｎｏｔ−ａｃｋｎｏｗｌｅｄｇｅｍｅｎｔ）信号を伝達する。これは、端末により転送されるアップリンクデータのためのＡＣＫ／ＮＡＣＫ信号がＰＨＩＣＨ上で転送されるものである。
【００３７】
ダウンリンク物理チャンネルであるＰＤＣＣＨ（または、ＥＰＤＣＣＨ）は以下に説明する。
【００３８】
ＰＤＣＣＨは、ＤＬ−ＳＣＨ（Ｄｏｗｎｌｉｎｋ  Ｓｈａｒｅｄ  Ｃｈａｎｎｅｌ）の資源割当及び転送フォーマットに関する情報、ＵＬ−ＳＣＨ（Ｕｐｌｉｎｋ  Ｓｈａｒｅｄ  Ｃｈａｎｎｅｌ）の資源割当に関する情報、ＰＣＨ（Ｐａｇｉｎｇ  Ｃｈａｎｎｅｌ）に対するページング情報、ＤＬ−ＳＣＨ上でシステム情報、上位階層制御メッセージの資源割当に関する情報、例えば、ＰＤＳＣＨ上で転送されるランダムアクセス応答、特定端末グループ内で端末のための転送電力制御命令の集合、ＶｏＩＰ（Ｖｏｉｃｅ  ｏｖｅｒ  Ｉｎｔｅｒｎｅｔ  Ｐｒｏｔｏｃｏｌ）の活性化などを伝達することができる。複数のＰＤＣＣＨｓは制御領域内で転送されることができ、端末は複数のＰＤＣＣＨｓをモニタリングすることができる。
【００３９】
ＰＤＣＣＨは、１つのＣＣＥ（Ｃｏｎｔｒｏｌ  Ｃｈａｎｎｅｌ  Ｅｌｅｍｅｎｔ）上で、またはある連続するＣＣＥの集合上で転送される。ＣＣＥは無線チャンネルの状態に従うコーディング率（ｃｏｄｉｎｇ  ｒａｔｅ）をＰＤＣＣＨに提供するための論理的な割当単位である。ＣＣＥは複数のＲＦＧｓ（ｒｅｓｏｕｒｃｅ  ｅｌｅｍｅｎｔ  ｇｒｏｕｐｓ）に相応する。ＰＤＣＣＨのフォーマット及びＰＤＣＣＨの可能なビット数はＣＣＥの個数とＣＣＥにより提供されるコーディング率（ｃｏｄｉｎｇ  ｒａｔｅ）との間の相関関係により決定される。基地局は端末に転送されるＤＣＩ（Ｄｏｗｎｌｉｎｋ  Ｃｏｎｔｒｏｌ  Ｉｎｆｏｒｍａｔｉｏｎ）によってＰＤＣＣＨフォーマットを決定し、制御情報にＣＲＣ（ｃｙｃｌｉｃ  ｒｅｄｕｎｄａｎｃｙ  ｃｈｅｃｋ）を付着する。ＤＣＩは、アップリンクまたはダウンリンクスケジューリング情報を含むか、または任意的な端末グループのためのアップリンク転送電力制御命令を含む。ＤＣＩは、それのフォーマットによって異なるように使われて、ＤＣＩ内で定義された異なるフィールドを有する。＜表２＞はＤＣＩフォーマットに従うＤＣＩを示す。
【００４０】
【表２】
2016508686.tif 000004
【００４１】
ＤＣＩフォーマット０はアップリンク資源割当情報を示し、ＤＣＩフォーマット１〜２はダウンリンク資源割当情報を示し、ＤＣＩフォーマット３及び３Ａは特定端末グループのためのアップリンクＴＰＣ（Ｔｒａｎｓｍｉｔ  Ｐｏｗｅｒ  Ｃｏｎｔｒｏｌ）命令を示す。ＤＣＩのフィールドは情報ビットと連続的にマッピングされる。例えば、４４ビットの総長さを有する情報ビットにＤＣＩがマッピングされることを仮定すれば、資源割当フィールドは情報ビットの１０番目ビットから２３番目ビットまでマッピングできる。
【００４２】
ＤＣＩは、ダウンリンクグラントと呼ばれるＰＤＳＣＨの資源割当、ダウンリンクグラントと呼ばれるＰＤＳＣＨの資源割当、アップリンクグラントと呼ばれるＰＵＳＣＨの資源割当、ある端末グループ及び／又はＶｏＩＰ（ｖｏｉｃｅ  ｏｖｅｒ  Ｉｎｔｅｒｎｅｔ  ｐｒｏｔｏｃｏｌ）の活性化状態で個々の端末のための転送電力制御命令の集合を含むことができる。＜表３＞は、アップリンク資源割当情報またはアップリンクグラントであるフォーマット０のＤＣＩを示す。
【００４３】
【表３】
2016508686.tif 000005
【００４４】
フラグ（ｆｌａｇ）は１ビット情報であり、ＤＣＩ  ０及びＤＣＩ  １Ａを互いに区別するための指示子である。ホッピングフラグ（ｈｏｐｐｉｎｇ  ｆｌａｇ）は１ビット情報であり、端末がアップリンク転送を遂行する時、周波数ホッピングが適用されるか否かを示す。例えば、ホッピングフラグが１であれば、それはアップリンク転送時間で周波数ホッピングが適用されることを示す。ホッピングフラグが０であれば、それはアップリンク転送時間で周波数ホッピングが適用されないことを示す。また、資源ブロック割当及びホッピング資源割当は資源割当フィールドと呼ばれる。資源割当フィールドは物理的な位置及び端末に割り当てられた資源の量を示す。＜表３＞に示してはいなくても、アップリンクグラントはビットの総数を続けて維持するために冗長ビット（ｒｅｄｕｎｄａｎｔ  ｂｉｔｓ）またはパディングビット（ｐａｄｄｉｎｇ  ｂｉｔｓ）を含む。ＤＣＩは幾つかのフォーマットを有している。ＤＣＩが異なるフォーマットの制御情報を有するとしても、ビットの長さは冗長ビットは使用して同一に制御される。このように、端末はブラインドデコーディングを順調に遂行することができる。
【００４５】
例えば、＜表３＞で、仮に資源割当フィールドがＦＤＤ  ２０ＭＨｚのバンドで１３ビットを有すれば、アップリンクグラントは総２７ビットを有する（ＣＩＦフィールド及びＣＲＣフィールドを除いて）。仮に、ブラインドデコーディングの入力として決定されたビットの長さが２８ビットであれば、基地局（ＢＳ）はスケジューリング時間にアップリンクグラントに対して１ビットの冗長ビットを追加することによってアップリンクグラント総数を２８ビットと考える。ここで、全ての冗長ビットは０に設定できるが、冗長ビットが特別な情報を含まないためである。勿論、冗長ビットの数は２より小さいか大きい。
【００４６】
本発明の無線通信システムは、ＰＤＣＣＨ（または、ｅＰＤＣＣＨ）検出のためにブラインドデコーディングを使用する。ブラインドデコーディングは好ましい識別子がＰＤＣＣＨがＣＲＣエラー確認を遂行することによって、自身のチャンネルか否かを決定するためにＰＤＣＣＨのＣＲＣからデマスキング（ｄｅ−ｍａｓｋ）される技法である。ｅＮＢは、端末に転送されるためにＤＣＩに従うＰＤＣＣＨフォーマットを決定する。その以後に、ｅＮＢはＣＲＣ（ｃｙｃｌｉｃ  ｒｅｄｕｎｄａｎｃｙ  ｃｈｅｃｋ）をＤＣＩに付着し、ＰＤＣＣＨの所有主（ｏｗｎｅｒ）または使用に従う固有な識別子（ＲＮＴＩ（ｒａｄｉｏ  ｎｅｔｗｏｒｋ  ｔｅｍｐｏｒａｒｙ  ｉｄｅｎｔｉｆｉｅｒ）と呼ばれる）をＣＲＣにマスキング（ｍａｓｋ）する。例えば、ＰＤＣＣＨが特定端末のためのものであれば、端末の固有な識別子（例えば、Ｃ−ＲＮＴＩ（ｃｅｌｌ−ＲＮＴＩ））はＣＲＣにマスキングできる。そうでなくて、仮にＰＤＣＣＨがページングメッセージのためのものであれば、ページング指示子識別子（例えば、Ｐ−ＲＮＴＩ（ｐａｇｉｎｇ−ＲＮＴＩ））はＣＲＣにマスキングできる。仮に、ＰＤＣＣＨがシステム情報（より詳しくは、以下に記述するＳＩＢ（ｓｙｓｔｅｍ  ｉｎｆｏｒｍａｔｉｏｎ  ｂｌｏｃｋ））のためのものであれば、システム情報識別子及びｓｙｓｔｅｍ  ｉｎｆｏｒｍａｔｉｏｎ  ＲＮＴＩ（例えば、ＳＩ−ＲＮＴＩ）は、ＣＲＣにマスキングできる。端末のランダムアクセスプリアンブルの転送に対する応答であるランダムアクセス応答を指示するために、ｒａｎｄｏｍ  ａｃｃｅｓｓ−ＲＮＴＩ（例えば、ＲＡ−ＲＮＴＩ）はＣＲＣにマスキングできる。
【００４７】
ＰＤＳＣＨと共に多重化できる向上したＰＤＣＣＨ（ｅＰＤＣＣＨ）は、ＣＡの多重Ｓｃｅｌｌをサポートすることに使用できる。ｅＰＤＣＣＨは、新たな類型の搬送波を含む次世代の通信システムのＰＤＣＣＨ転送または新たな制御情報転送に対する制限の１つの解決策になることができる。ｅＰＤＣＣＨは、制御情報を伝達するデータ領域に位置できる。それで、端末は制御領域及び／又はデータ領域内に複数のＰＤＣＣＨ／ｅＰＤＣＣＨｓをモニタリングすることができる。ＰＤＣＣＨはＣＣＥ上で転送されるため、ｅＰＤＣＣＨはある連続的なＣＣＥｓの集成のようなｅＣＣＥ（ｅｎｈａｎｃｅｄ  ＣＣＥ）上で転送されることができ、ｅＣＣＥは複数のＲＥＧｓに相応する。仮に、ｅＰＤＣＣＨがＰＤＣＣＨより効率的であれば、ただｅＰＤＣＣＨｓがＰＤＣＣＨｓ無しで使われる場合のみにサブフレームを有することは価値があるる。ＰＤＣＣＨｓ及び新たなｅＰＤＣＣＨサブフレームのみで、またはｅＰＤＣＣＨサブフレームのみを有することは、レガシーＬＴＥサブフレーム両方ともを有するＮＣのような新たな類型の搬送波にありうる。ＭＢＳＦＮサブフレームは、新たな搬送波ＮＣに存在するということが相変らず仮定される。ＮＣにおいて、ＭＢＳＦＮサブフレームでＰＤＣＣＨを使用するか否か、及び仮に使用されれば、どのように多くのＯＦＭＤシンボルが割り当てできるかはＲＲＣシグナルリングを通じて使われると設定できる。その上、ＴＭ１０及び新たなＴＭは新たな搬送波類型のためにも考慮できる。以後に、新たな搬送波類型は全てのまたはレガシー信号の部分が異なる方法で漏れるか、または転送できる場合、搬送波を示す。例えば、新たな搬送波はＣＲＳがあるサブフレームで漏れるか、またはＰＢＣＨが転送されないことがある場合、搬送波を示すことができる。新たな搬送波はＲｅｌ−１１及びその以下で端末が搬送波にアクセスできないことを意味しないことがある。しかしながら、Ｒｅｌ−１１及びその以下で端末は連続的なＣＲＳ転送のような特定の特徴の欠如のため、レガシー搬送波と比較して同一なパフォーマンスを得ることができないと予想される。
【００４８】
図５は、本発明が適用されるＡＣＫ／ＮＡＣＫ信号を伝達するアップリンクサブフレームの構造の一例を示す図である。
【００４９】
図５を参照すると、ここで、アップリンクサブフレームはアップリンク制御情報を伝達するＰＵＣＣＨ（ｐｈｙｓｉｃａｌ  ｕｐｌｉｎｋ  ｃｏｎｔｒｏｌ  ｃｈａｎｎｅｌ）が割り当てられる制御領域に分けられる。制御情報は、ダウンリンク転送のＡＣＫ／ＮＡＣＫ応答を含む。ユーザデータを伝達するＰＵＳＣＨに対するデータ領域は周波数領域に割り当てられる。
【００５０】
１つの搬送波特性（ｐｒｏｐｅｒｔｙ）を維持するために、１つの端末は同時にＰＵＣＣＨ及びＰＵＳＣＨを転送しないことがある。しかしながら、仮に端末が同時にＰＵＣＣＨ／ＰＵＳＣＨを転送できれば、１つの端末が同一なサブフレームでＰＵＣＣＨ及びＰＵＳＣＨを転送することも実現可能である。サブフレーム内で、資源ブロック対は１つの端末に対してＰＵＣＣＨに割り当てられ、割り当てられた資源ブロック対は各々の２つスロット内で異なる副搬送波に対応する資源ブロックである。これはＰＵＣＣＨに割り当てられた資源ブロック対がスロット境界で周波数ホッピングされたという。
【００５１】
ＰＵＣＣＨは、多重フォーマットをサポートすることができる。即ち、それは変調技法に従うサブフレーム毎に異なるビット数を有するアップリンク制御情報を転送することができる。ＰＵＣＣＨフォーマット１はＳＲ（ｓｃｈｅｄｕｌｉｎｇ  ｒｅｑｕｅｓｔ）を転送するために使われ、ＰＵＣＣＨフォーマット１ａ及び１ｂはＨＡＲＱ  ＡＣＫ／ＮＡＣＫ信号を転送するために使われる。ＰＵＣＣＨフォーマット２はＣＱＩを転送するために使われ、ＰＵＣＣＨフォーマット２ａ及び２ｂはＣＱＩ及びＨＡＲＱ  ＡＣＫ／ＮＡＣＫを転送するために使われる。ＨＡＲＱ  ＡＣＫ／ＮＡＣＫが単独で転送されれば、ＰＵＣＣＨフォーマット１ａ及び１ｂが使われて、ＳＲが単独で転送されれば、ＰＵＣＣＨフォーマット１が使われる。そして、ＰＵＣＣＨフォーマット３はＴＤＤシステムのために使われることができ、またＦＤＤシステムのために使用できる。一方、高いデータレート転送に対する増加した要求のため、多重要素搬送波（ｃｏｍｐｏｎｅｎｔ  ｃａｒｒｉｅｒｓ）に集成されて構成された移動通信システムは研究されている。
【００５２】
本発明は小型セルクラスタ内に効率的な転送をサポートする解決策を提供する。より詳しくは、本発明は小型セル環境、ＲＲＭ測定による端末電力消費を減少させること、セル探索、ディスカバリ信号を使用することなどを提供する。ディスカバリ信号は存在する同期チャンネルと、または存在する同期チャンネル無しで転送されることができ、両方とも活性化、不活性化状態、または不活性化状態の時のみ転送できる。
【００５３】
本発明において、不活性化または休眠（ｄｏｒｍａｎｔ）状態の概念は、ＣＲＳ、ＣＳＩ−ＲＳ、ＰＣＦＩＣＨなどの連続的なセル特定シグナリングからセル間干渉を減少させることと紹介される。言い換えると、実際データ転送に関わらず、連続的なシグナリングを除去することによって、不要なセル間干渉が除去できる。不活性化状態のＰＤＳＣＨ／（Ｅ）ＰＤＣＣＨ転送を無力にするか否かは場合を使用することによる。減少した連続的なシグナリング転送オーバーヘッドと共に、仮に必要であれば、次世代端末へのデータ転送は、相変らず実現可能で、有益でありうる。
【００５４】
現在ＬＴＥシステムでは、端末の存在に関わらず、転送される周期的な信号がある。例えば、ＰＳＳ／ＳＳＳ／ＭＩＢ／ＳＩＢは潜在的なユーザがセル関連情報を探すことができるように許容するために転送される。ディスカバリ信号が紹介され、端末がディスカバリ信号によりセルを初めて識別すれば、ＰＳＳ／ＳＳＳ／ＭＩＢ／ＳＩＢのような信号は全ての時間に転送されてはならない。むしろ、要求があれば何時でも転送できる。このように、本発明はＰＳＳ／ＳＳＳから異なるか、または異なる周期性または要求と共に転送されるディスカバリ信号が使われるという仮定と共に、初期アクセス手続を提案する。ＭＩＢのような連続的な信号の検出無しでディスカバリ信号と共にセルを発見することによって、端末はセルがオフ状態にあることを仮定することができる。本発明は、初期アクセス手続を続けるこのようなセルをｗａｋｅ−ｕｐするメカニズムを提案する。本発明は、端末とｅＮＢとの間にＲＡＣＨ手続が始まる前にセルが不活性化状態または活性化状態か否かを確認するために要請信号を転送することを提供することができる。ここで、初期要請信号を送ることは端末によりディスカバリ信号が検出された後にセルを付着するためにセルオフ状態からセルをｗａｋｅ−ｕｐするための好ましい信号のために使われる。
【００５５】
図６は、本発明の好ましい実施形態に従うセル状態を決定するための時間流れ図を示す。
【００５６】
図６に示すように、端末はディスカバリチャンネルを検出するとすぐに初期要請を転送することができ、このように端末は潜在的な小型セル（ｓｍａｌｌ  ｃｅｌｌ）をｗａｋｅ−ｕｐすることができる。まず、本発明は次世代端末のための端末初期要請に焦点を合せる。言い換えると、ｅＮＢの中に調整無しで、ＤＴＸモードにいる潜在的なサービングセル（ｓｅｒｖｉｎｇ  ｃｅｌｌ）を検出するとすぐに端末はｗａｋｅ−ｕｐする手続を初期化させることができるので、セルは端末のためのサービスを準備することができる。しかしながら、本発明は仮に端末が既にサービングセルを有していれば、端末がセルまたはサービングｅＮＢに位置している場合にｗａｋｅ−ｕｐする手続が小型セルクラスタで制御ｅＮＢのような更に他のｅＮＢによりトリガーできる場合をできなくしない。これによって、ｗａｋｅ−ｕｐする手続を初期化させる能力のない端末はＤＴＸモードセルによってもサービスできる。
【００５７】
より詳しくは、初期要請はＤ２Ｄ（ｄｅｖｉｃｅ−ｔｏ−ｄｅｖｉｃｅ）通信で使われるＲＡＣＨ、ＳＲＳ、及びディスカバリ信号のうちの１つを通じて送られることができる。これは、Ｄ２ＤでのＰＲＡＣＨ、ＳＲＳ、またはディスカバリ信号のフォーマットが再使用できることを暗示することができる。しかしながら、同一な資源設定及びスクランブリング（ｓｃｒａｍｂｌｉｎｇ）が使われることが直接的に暗示されるものではない。仮に、ＰＲＡＣＨが初期要請のために使用されれば、ＰＲＡＣＨのために使われる同一なシーケンスは初期要請転送のために使用できる。タイミング（ｔｉｍｉｎｇ）及びＲＡＣＨ資源に関して、予め指定されたタイミング及び資源は使用できるか、またはディスカバリ信号はこのような初期要請設定に関する情報を伝達することができる。そうでなくて、仮に追加的なチャンネルがディスカバリチャンネルと共に転送されれば、追加的なチャンネルは情報も伝達することができる。ＳＲＳが使われる間、ＳＲＳ−類型チャンネルはこのようなＳＲＳ−類型チャンネルがレガシーＳＲＳと互いに異なるか否かにより転送されることができ、レガシーＳＲＳからＳＲＳ−類型チャンネルが区別されるために、互いに異なるスクランブリング及びユーザＲＮＴＩを使用することができる。より詳しくは、ディスカバリ信号から発見されるセルＩＤはＳＲＳシーケンス発生（セルＩＤ％８のような）のための循環シフト（ｃｙｃｌｉｃ  ｓｈｉｆｔ）を決定するために使用できる。ＳＲＳを転送するための設定はＰＲＡＣＨ接近と類似している。これは、新たなＳＲＳ−類型のための予め指定されたタイミング及び資源が使用されるることができ、レガシーＳＲＳ信号が初期要請設定に関する情報を伝達できるものである。そうでなくて、仮に追加的なチャンネルがＳＲＳ−類型チャンネルと共に転送されれば、追加的なチャンネルは情報も伝達することができる。既に固定されるか、またはディスカバリチャンネルにより指示される技法のうちの１つが使用できる。最後に、仮にディスカバリ信号がＤ２Ｄで使用されれば、これは、更に他のメカニズムは互いに異なる初期化及び潜在的な資源と共に装置対装置ディスカバリ信号を使用するもので、Ｄ２Ｄディスカバリ信号と異なることがあるということである。
【００５８】
休眠モード（または、不活性化）小型セルが初期要請信号を検出すれば、小型セルはレガシー同期信号が転送される場合、活性化状態となる。ここで、休眠モード（または、不活性化）小型セルが適切な承認制御（ｐｒｏｐｅｒ  ａｄｍｉｓｓｉｏｎ  ｃｏｎｔｒｏｌ）と共に、または適切な承認制御無しで初期要請信号を受信する。セルが休眠モードであれば、セルは如何なるＲＳ信号または同期信号を転送することが考慮されない。これで、端末はＲＳ信号と同期信号のうち、どのようなものも受信しないことを予想しないことがある。一方、レガシー端末が初期要請を有しないので、少なくとも１つの小型セルのサブ集合はレガシーチャンネルを転送しなければならない。活性化状態がトリガーされれば、ｅＮＢは如何なる活性化端末無しでＴ時間（例えば、Ｔ＝２０ｍｓｅｃ）の以後に不活性化／休眠状態に入ることができる。また、変化のセル状態は存在する端末または付着された端末に知られるか／通報を受けるようになるので、存在する端末（または、付着された端末）は仮に必要であれば、例えば、仮にデータがＣＲＳ無しで休眠モードで転送できれば、効率的な隣のセル測定またはデータレートマッチング決定（ｄａｔａ  ｒａｔｅ  ｍａｔｃｈｉｎｇ  ｄｅｃｉｓｉｏｎ）をサポートするために、転送されたレガシー信号を予想することができる。状態を交換する１つのメカニズムはスクランブリングで互いに異なるセルＩＤまたは仮想セルＩＤを使用するので、端末はセルが活性化状態か、または不活性化状態か否かを知る。
【００５９】
その上、特徴の初期要請信号は以下に記述される。端末がセル及び同期信号のシステム情報を獲得する前でも初期要請が送られることができるため、端末がセルＩＤ及び必要な設定情報をサポートするために、端末がディスカバリ信号を読み取れば、メカニズムはどのように初期要請シーケンス及び資源を決定するかが要求される。これによって、次のデザイン考慮が必須でありうる。説明の便宜のために、ＲＡＣＨに基づく初期要請を示す。
【００６０】
まず、初期要請のためのプリアンブルフォーマットが説明される。初期要請が小型セル環境のために使われるため、ＣＰ長さ及びシーケンス長さはそれほど大きくない。新たなＲＡＣＨプリアンブルフォーマット（または、レガシーＲＡＣＨプリアンブルフォーマットより短いＲＡＣＨプリアンブルフォーマット）はサポートできる。例えば、プリアンブルフォーマット０または４は初期要請を説明するために使われる。または、仮に同期化が仮定されれば、言い換えると、端末がディスカバリ信号を通じて良い時間トラッキング（ｆｉｎｅ  ｔｉｍｅ  ｔｒａｃｋｉｎｇ）を獲得できないことがあれば、長いＣＰは必須的である。この場合に、ディスカバリ信号のために拡張ＣＰを使用することが考慮されることもできる。仮に、拡張ＣＰがディスカバリ信号のために使われ、一方、オン状態で転送される同期信号が一般ＣＰを使用すれば、端末はディスカバリ信号から識別される如何なるＣＰ長さも仮定できないか、または仮に端末が新たなセルへのハンドオーバーが遂行されれば、ＣＰ長さにより設定された端末は新たなターゲットセルで使われたか、または端末はＰＳＳ／ＳＳＳ／から識別されるＣＰ長さのみ有効であるということを仮定する。このような場合、プリアンブルフォーマット１は使用できる。
【００６１】
初期要請のために如何なるプリアンブルが使われるかはディスカバリ信号を読み取ることにより決定できる。ＰＲＡＣＨ  ＣＰ長さはディスカバリ信号のＣＰ長さに続くことができ、シーケンス長さはディスカバリチャンネルにより測定され、推算された経路損失（ｐａｔｈ−ｌｏｓｓ）に基づいて選択できる。または、仮にディスカバリ信号が一般ＣＰを使用すれば、初期要請のＣＰ長さはプリアンブルフォーマット０として同一である。ここで、ディスカバリ信号は拡張ＣＰを使用し、初期要請のＣＰ長さはプリアンブルフォーマット１のＣＰ長さとして同一であるか、またはディスカバリ信号は短い（ｓｈｏｒｔ）ＣＰを使用し、初期要請のＣＰ長さはプリアンブルフォーマット４  ＣＰ長さとして同一である。
【００６２】
そして、初期要請のためのサブフレームは設定される必要がある。ＰＲＡＣＨはシステム情報（または、ＲＡＣＨ設定）により指示されるサブフレームのサブ集合のみで許容される。初期要請は如何なるシステム情報も読み取らなくても転送できる。幾つかの代案がある。
【００６３】
初期要請は如何なるサブフレームであっても送られることができる（ＴＤＤでディスカバリ信号を伝達するサブフレームを除いて）。仮に、デュプレックスモード（ｄｕｐｌｅｘ  ｍｏｄｅ）が端末に知られると、安全に、ディスカバリ信号のために使われる同一なサブフレームはＰＲＡＣＨ転送のために使われる。仮に、ディスカバリ信号が休眠／オフ状態で転送されれば、ｅＮＢがディスカバリ信号を転送するために使われる時間の他に他のサブフレームでアップリンク転送を聞くことと仮定できる。または、ディスカバリ信号を受信してから固定されたサブフレームオフセット（ｏｆｆｓｅｔ）または差（ｇａｐ）は使用できる。ディスカバリ信号及び初期要請の間に固定された差は予め設定された値に設定できる。例えば、定数Ｃ（例えば、６）は使用できる。または、端末が如何なるセルでも付着され、以前Ｃ−ＲＮＴＩ（ｃｅｌｌ−Ｒａｄｉｏ  Ｎｅｔｗｏｒｋ  Ｔｅｍｐｏｒａｒｙ  Ｉｄｅｎｔｉｆｉｅｒ）が使われるか、または自己発生（ｓｅｌｆ−ｇｅｎｅｒａｔｅｄ）ユーザＩＤであれば、ユーザＩＤはオフセットを決定するために使用できる。例えば、ユーザＩＤ％ＭはＭが許容されたオフセット最大値の場合（例えば、１０）オフセットのために使用できる。または、オフセットはディスカバリ信号により識別されるＩＤに基づいて決定できる（例えば、ＩＤ％Ｍ）。または、初期要請は設定によるか、またはディスカバリ信号上で送られることができる。初期要請のためのディスカバリ信号転送設定は続くことができる。初期要請のための設定の情報は、ディスカバリ信号と共に追加的な信号で伝達できる。または、差は２つのディスカバリ信号（即ち、周期）間に使用できる。端末は、周期がＡｌｔ１（固定されたサブフレームオフセット／差を使用する）、またはＡｌｔ２（設定を使用する）のためのＭ（最大オフセット）を決定することに使われるか、または任意に発生されたオフセットがＭオフセット内に使用できる場合、ディスカバリ信号周期に基づいて初期要請を転送することができる。
【００６４】
初期要請に対し、ＦＤＤ／ＴＤＤの場合、両方とも考慮されなければならない。両方の場合において、端末は仮にアップリンク周波数がディスカバリ信号や他のネットワークシグナリングまたは設定を通じて端末に指示されなければ、ディスカバリ信号が転送される場合、同一な周波数を使用すると仮定することができる。ＰＲＡＣＨのために資源を決定することは次に説明する。
【００６５】
初期要請のためのＰＲＡＣＨ周波数は、端末がディスカバリ信号を発見した場合、全体帯域幅を使用することができる。例えば、仮にディスカバリ信号が１０ＰＲＢを超えて検出されれば、初期要請も１０ＰＲＢを超えて送られる。更に他の方法はディスカバリ信号帯域幅のうちの中心６ＰＲＢを使用するものであるか、またはディスカバリ信号帯域幅内に中心２または４ＰＲＢを使用するものである。残りの方法はディスカバリ信号帯域幅内に如何なる連続した２または４または６ＰＲＢでも使用するものである。
【００６６】
一方、ネットワークがプリアンブルシーケンスの集合を設定するＲＡＣＨシーケンス、端末は使用することに許容される。初期要請は、次の通りである。ＲＡＣＨ＿ＲＯＯＴ＿ＳＥＱＵＥＮＣＥは＜表４＞または＜表５＞を読み取るインデックスとして設定できる。上記インデックスは、ディスカバリ信号により識別されるＩＤに基づいて決定できる（仮に、プリアンブルフォーマット１−３が使われれば、ＩＤ％３２、仮にプリアンブルフォーマット４が使われれば、ＩＤ％７）。または、ディスカバリ信号はＺＣシーケンスに関する表に対するインデックスを伝達することができる。または、一対｛セルＩＤ、ＰＲＡＣＨ発生のための基本パラメータ（ｄｅｆａｕｌｔ  ｐａｒａｍｅｔｅｒ）｝のリストは端末がＤＴＸセルからシステム情報を受信する前であってもパラメータと関連したＰＲＡＣＨを獲得できるように、予め転送できるか、または予め設定できる。仮に、端末がパラメータを知るようになる前にセルを探ると、  このようなパラメータは代りに使用できる。でなければ、また、ルートインデックス（ｒｏｏｔ  ｉｎｄｅｘ）もディスカバリ信号自身によりシグナリングできる。仮に、予め決定されれば、ｒｏｏｔＳｅｑｕｅｎｃｅＩｎｄｅｘは（セルＩＤ＋ｍ）％８３８、またはセルＩＤのある機能として計算できる。
【００６７】
ここで、各セルで６４個の使用可能なプリアンブルがある。ＲＡＣＨ＿ＲＯＯＴ＿ＳＥＱＵＥＮＣＥがシステム情報の一部分にブロードキャスト（ｂｒｏａｄｃａｓｔ）される場合、セルで６４個のプリアンブルシーケンスの集合は、第一に、増加する循環シフト、論理的なインデックスＲＡＣＨ＿ＲＯＯＴ＿ＳＥＱＵＥＮＣＥと共にｒｏｏｔ  Ｚａｄｏｆｆ−Ｃｈｕシーケンスの全ての使用可能な循環シフトの順に含むことによって発見される。追加的なプリアンブルシーケンスは、６４個のプリアンブルシーケンスの場合で単一ｒｏｏｔ  Ｚａｄｏｆｆ−Ｃｈｕシーケンスから発生できず、全ての６４個のシーケンスが発見される前まで連続した論理的なインデックスと共にルートシーケンス（ｒｏｏｔ  ｓｅｑｕｅｎｃｅ）から得る。論理的なルートシーケンス順序（ｌｏｇｉｃａｌ  ｒｏｏｔ  ｓｅｑｕｅｎｃｅ  ｏｒｄｅｒ）は循環的である：論理的なインデックス０は８３７に連続する。論理的なルートシーケンスインデックスと物理的なルートシーケンスインデックスｕの関係はプリアンブルフォーマット０−３及び４のための＜表４＞及び＜表５＞から各々与えられる。＜表４＞はプリアンブルフォーマット０−３のためのＲｏｏｔ  Ｚａｄｏｆｆ−Ｃｈｕシーケンス順序によるＲＡＣＨ＿ＲＯＯＴ＿ＳＥＱＵＥＮＣＥを示し、＜表５＞はプリアンブルフォーマット４を示す。
【００６８】
【表４】
2016508686.tif 000006
【００６９】
【表５】
2016508686.tif 000007
【００７０】
そして、ＮＣＳは（０）に固定できるか、またはディスカバリ信号またはユーザＩＤにより決定できる。
【００７１】
でなければ、ＲＯＯＴ＿ＳＥＱＵＥＮＣＥ及びＮＣＳはディスカバリ信号から推論できる。例えば、仮にディスカバリ信号がＺＣシーケンスを使用すれば、同一なまたはマッピングされたルートシーケンスはＲＡＣＨを該当セルに伝達することに使用できる。例えば、インデックス３はインデックス７にマッピングされ、ディスカバリ信号はインデックス３を使用し、インデックス７はセルへの初期要請を発生させることに使用できる。仮に、インデックスが任意的にユーザＩＤに基づいて選択されれば、信号の転送時間はユーザＩＤに基づいてまた固定できる。ディスカバリ信号によりルートシーケンスを推論する更に他のメカニズムは、ディスカバリ信号の周期性を活用するものである。
【００７２】
本発明は、初期要請が多重目的のために使用できる。例えば、休眠小型セル（不活性化セル、オフセル）をｗａｋｅ−ｕｐするか、セルまたは端末上でｅＮＢ測定を獲得するための必須な情報を要請することなどが使用できる。より詳しくは、端末は如何なるディスカバリ信号の受信を受けなくても、このメッセージを転送する。言い換えると、ヒストリー情報に基づいて、端末は近接した箇所（ｐｒｏｘｉｍｉｔｙ）に少なくとも１つの小型セルがあると仮定することができ、それによって信号を転送するための周波数を決定するために以前の情報を使用してこのようなメッセージを転送することができる。その上、このような初期要請を転送することは、仮に端末がディスカバリ信号と共にセルを検出する場合のみに許容できる。即ち、如何なる同期信号も検出されない。言い換えると、如何なる活性化セルも周囲にない。これは、活性化セルが獲得に関して不活性化セルより高い優先順位を有するということである。このような初期要請は、しかしながら、仮に活性化セルが要請されれば転送できる。
【００７３】
また、本発明はこのような初期要請メッセージがランダムアクセス応答（ＲＡＮＤＯＭ  ＡＣＣＥＳＳ  ＲＥＳＰＯＮＳＥ）を受信することを予想せず、このようにＰＲＡＣＨの再転送が初期要請の目的のために予想されないことをサポートする。端末がセルに付着されれば、更に他のセルに対する初期要請の情報または資源設定はサービングセルによる端末に伝達できる。
【００７４】
しかしながら、また、初期要請によりトリガーされる規則的な（ｒｅｇｕｌａｒ）ＲＡＣＨ手続はできなくならない。この場合、より詳しくは、端末はｅＮＢからのランダムアクセス応答を成功的に受信するか、またはセルを検出することによって、キャンプオン（ｃａｍｐ−ｏｎ）手続を開始できるまで繰り返されるＰＲＡＣＨ転送を使用することができる。このように、初期要請が転送されればＲＡＲ応答はセルから予想される。
【００７５】
２つの連続したＰＲＡＣＨ転送間に持続期間は上位階層に設定できる。第１のＰＲＡＣＨ転送のための初期電力も上位階層で設定できる。または、初期電力はディスカバリ信号電力が知られるか、またはディスカバリ信号が最大電力で転送されると仮定しながらディスカバリ信号を使用して経路損失推算（ｐａｔｈ  ｌｏｓｓ  ｅｓｔｉｍａｔｉｏｎ）に基づいて計算できる。また、受信された電力ターゲットに対し、仮に設定されなければ、最大受信電力は仮定される。繰り返されるＰＲＡＣＨの個数に関して成功的なＲＡＲまたはセル検出は上位階層に設定できるか、または予め設定できる。要請をｗａｋｅ−ｕｐまたは開始する各ＰＲＡＣＨ転送毎に電力スケーリング要素（ｐｏｗｅｒ  ｓｃａｉｌｉｎｇ  ｆａｃｔｏｒ）は上位階層に設定された最大電力値と共に上位階層に設定されるか、または予め設定できる。ここで、本発明は端末の再転送があるにも電力を増加させてはならない場合、電力スケーリングまたは再転送毎に電力ランプアップ（ｒａｍｐ−ｕｐ）デルタ値（ｄｅｌｔａ  ｖａｌｕｅ）が０に設定できることをサポートする。端末がＰＲＡＣＨが成功的か否かを決定するためにＲＡＲまたはセル検出のために遅延される。即ち、ＰＲＡＣＨ再転送タイマーは上位階層で設定されるか、または予め決定できる。
【００７６】
本発明はＰＲＡＣＨだけでなく、セル関連性の要請を開始するか、セル関連性のためにｅＮＢをｗａｋｅ−ｕｐするために使用できる他のアップリンク信号を適用することを考慮する。例えば、仮にＰＵＳＣＨがＣ−ＲＮＴＩの代りに初期要請のために使用されれば、ディスカバリ信号により発見されたセルＩＤはスクランブリングのために使用できる。
【００７７】
前述したように、セル１  ６１１がレガシー端末として端末１  ６０１のための不活性化サービングセルにあれば、次世代端末として端末２  ６０２はセル１  ６１１及びセル３  ６１３に重なったカバレッジに移動する。端末２  ６０２は、ＰＳＳ／ＳＳＳとは異なるか、または互いに異なる周期性またはセル１の要求と共に設定されるサブフレームで転送されるディスカバリ信号を検出することによって、セル１を発見（６５０）することができ、端末はディスカバリチャンネルを検出するとすぐに初期要請を転送（６５５）することができるので、セル１は休眠小型セル（不活性化セル、オフセル）６２０からオン状態６２５にｗａｋｅ−ｕｐすることを変化させることができる。このように、セル１（活性化状態セル）でＰＳＳ／ＳＳＳ／ＭＩＢ／ＳＩＢのような測定信号は潜在的なユーザがセルブロードキャスティングを通じてセル関連情報を探すように許容するために転送される（６６０、６６５）。
【００７８】
ここで、本発明で言及するディスカバリ信号はセル関連情報を部分的に、または全体的に伝達する周期的信号を含むことができる。例えば、ＰＳＳ／ＳＳＳはディスカバリ信号の１つの類型になることができる。技術が不活性化／休眠状態ディスカバリ信号に主に焦点を合せるとしても、活性化状態に対しても適用可能である。その上、ＲＡＣＨに基づく初期要請のためのパラメータを選択するメカニズムは、ＳＲＳのような他の信号に基づく初期要請に適用可能である。このような技術は、端末を制限するカバレッジの存在がｅＮＢが有益であるとできる限り速く知られた場合、端末を制限するカバレッジに適用できる。その以後に、端末２はセル１の測定信号を使用してＲＲＭ（Ｒａｄｉｏ  Ｒｅｓｏｕｒｃｅ  Ｍａｎａｇｅｍｅｎｔ）を測定することによって、セル１またはソースセル（ｓｏｕｒｃｅ  ｃｅｌｌ）ｘから他のターゲットセルを変化させることに決定することができる。これは、端末がディスカバリ信号及び初期要請信号を使用することによって、必須なセルディスカバリ及び必須な初期ＲＲＭ測定を遂行することができるということである。
【００７９】
でなければ、周期的なディスカバリ信号及び端末初期ｗａｋｅ−ｕｐ信号のハイブリッド的な接近が次の図面で例示したように考慮できる。
【００８０】
図７は本発明の好ましい実施形態としてディスカバリ及び端末初期ｗａｋｅ−ｕｐ信号のハイブリッド的な技法を示す。
【００８１】
図７を参照すると、小型セルは本発明の接近を使用する周期性及びオフセットの場合、小型セルのうちから同期化できる周期的なディスカバリ信号を転送することができる。ここで、ディスカバリ信号転送は無線フレームまたはサブフレームで発生することができ、使用する周期性及びオフセットはマクロセルまたはアンカーセル（ａｎｃｈｏｒ  ｃｅｌｌ）またはクラスタマスターセル（ｃｌｕｓｔｅｒ  ｍａｓｔｅｒ  ｃｅｌｌ）のうち、いずれかによって設定できる。ディスカバリ信号に基づいて、端末は必須なセルディスカバリ及び必須な初期ＲＲＭ測定を遂行することができる。端末は小型セルを発見するためにディスカバリ信号周期性及び／又はマクロセルによるオフセットと共に上位階層でシグナリングできる。または、ディスカバリ信号オフセット／周期性は端末が測定差で少なくとも１つのディスカバリ信号を発見できるように、周波数間の測定と共に整列できる。このような接近は特にレガシー端末に有用である。
【００８２】
これをサポートするために、各ｅＮＢは交換するか、またはマクロ−ｅＮＢはレガシーまたは次世代端末の測定差設定を転送することができる。この情報を受信するとすぐに、各ｅＮＢはそれのディスカバリ信号転送を他の端末の測定差設定に整列するか否かを決定することができる。仮に、整列されなければ、ｅＮＢはレガシー端末測定差をサポートするために追加的なディスカバリ信号を転送するように決定することができる。ディスカバリ信号オーバーヘッドがあまりたくさん増加しないように、この追加的な転送は端末がアップリンクシグナリングをモニタリングするか、またはｅＮＢ情報交換のような他の方法に基づいて近接した端末に制限できる。
【００８３】
言い換えると、端末は設定または予め設定された無線フレーム（または、サブフレーム）を使用して、少なくとも１つのディスカバリ信号（７３０）を発見（７４０）することができ、端末またはサービングセルが小型セル階層にデータオフローディング（ｄａｔａ  ｏｆｆｌｏａｄｉｎｇ）を行うことを決定すれば、端末またはサービングマクロセルはｗａｋｅ−ｕｐ手続を開始する（７４２）。
【００８４】
仮に、端末により開始されれば、端末はｗａｋｅ−ｕｐ手続のためのＰＲＡＣＨ、ＳＲＳ、またはＰＵＳＣＨの予め設定された、または予め定義された信号を転送することができる（７４４）。ｗａｋｅ−ｕｐ信号を受信するとすぐに、小型セルはオフ状態（７２０）から少なくともＴｍｓｅｃの間活性化状態（７２５）にありうる。
【００８５】
例えば、ｎ＋ｋサブフレームに始めることはｗａｋｅ−ｕｐ信号がサブフレームｎであり、ｋ＞＝１の時に受信されることを仮定する。仮に、小型セルが活性化時間の間成功的なＰＲＡＣＨを受信しなければ、休眠／オフ状態に入り、ディスカバリ信号の転送を続けることができる。ここで、Ｔはマクロセルにより設定されるか、または予め決定できる。その上、仮に、より多いｗａｋｅ−ｕｐ信号が受信されれば、持続期間Ｔはｗａｋｅ−ｕｐ信号周波数に基づいて合わせられることができる。より長いＴは使われるか、または同一な端末からＰＲＡＣＨの反復になることができる。その上、仮に端末が１つのＰＲＡＣＨより多く転送すれば、持続期間Ｔは増加できる。
【００８６】
より良いＣＳＩフィードバック及びＲＲＭ測定をサポートするために、ｅＮＢは特定のサブフレームまたは時間フレームでそれのＣＳＩまたはＲＲＭ測定を再開始するために端末を指示するか、またはＣＳＩまたはＲＲＭが測定されてはならない場合、不正確な持続期間を指示するために、上位階層信号を転送することができる。例えば、既に活性化した端末のＣＳＩフィードバックまたはＲＲＭ測定は、小型セルが端末セル関連性／選択をサポートするためのＲＲＭ信号を転送している場合、ｗａｋｅ−ｕｐプロセス時間の間遂行できない（７３３）。これは、端末またはサービングセルが小型セル階層にデータオフローディングすることを決定し（７３６）、小型セル７１１、７１２、及び７１３のうち、選択されたセル上でデータ転送を開始する。データ転送に対し、端末はＲＡＣＨ設定を使用してＰＲＡＣＨを転送することができ、オン状態でセル１  ７１１を通じてオフローディングデータを受信することができる（７４８）。
【００８７】
その上、サブフレームの集合は端末がＣＳＩまたはＲＲＭを測定するように予想しない場合、シグナリングできる。
【００８８】
前述したように、端末はＲＲＭ測定を遂行し、小型セル１がデータ転送のための小型セル１、２、３のうち、最も良いセルであることを決定し、それで、セル２、３が活性化状態からオフ状態に移動することができる。オフ状態の間にＰＨＩＣＨまたはダウンリンクＨＡＲＱ−ＡＣＫが説明される。ダウンリンクＨＡＲＱ−ＡＣＫまたはアップリンクグラントスケジューリングがセルオフ状態の間に伝達できることに更に注目しなければならない。その上、ＨＡＲＱ−ＡＣＫ及び／又はアップリンクグラントが伝達できる場合、サブフレームの集合に対する制限は上位階層で設定できる。
【００８９】
本発明において、レガシー端末をサポートするための２つの考慮事項は次の通り提供される。ＲＲＣ＿Ｉｄｌｅ  ｍｏｄｅ  ＵＥｓをサポートするために、レガシー信号の連続的な転送はＰＳＳ／ＳＳＳ／ＣＲＳ及び／又はＭＩＢ／ＳＩＢ／その他のように予想される。しかしながら、シグナリングを最適化することは容易でない。
【００９０】
このために、本発明はＲＲＣ＿ＩＤＬＥ  ｍｏｄｅ  ＵＥがオン／オフ機能性を有するセルまたはセルオン／オフを遂行するセルでサポートされないことを提供する。言い換えると、セルオン／オフを遂行するセルはレガシー端末がＲＲＣ＿ＩＤＬＥ  ｍｏｄｅにあれば、初期セル探索またはセル探索から除外される。このように、サービングセル上でＲＬＦと共にレガシー端末は識別するか、またはオン／オフを遂行するセルを検出することができない。セルオン／オフをサポートするセルがセルオン／オフを遂行すると意味しないことも注目に値する。セルオン／オフを適用するか否かは設定できる。セルがディスカバリ信号を転送すれば、セルがセルオン／オフを遂行すると考慮できる。または、オン状態のセルはレガシー測定信号もまた転送されれば、ディスカバリ信号を転送することができる。しかしながら、ディスカバリ信号及びセルオン／オフは個別的な設定も可能である。ＲＲＣ＿ＩＤＬＥ  ｍｏｄｅで端末の１つの暗示はセルを遂行するセルオン／オフのためにサポートされないことがある。ここで、ディスカバリ信号が全てのセルにより転送されるとしても、端末はＲＲＣ＿ＩＤＬＥ  ｍｏｄｅでセル（再）選択のためのレガシーＰＳＳ／ＳＳＳ／ＣＲＳよりディスカバリ信号に基づいて如何なる測定も使用することができない。でなければ、次世代端末はセル選択のための測定に基づいてディスカバリ信号を使用することができる。この場合に、端末はキャンプオン（ｃａｍｐ−ｏｎ）プロセスを進行するための必須なシステム情報を転送するためにｗａｋｅ−ｕｐまたは指示信号を候補者として識別されるセルに転送する必要がありうる。オフ状態のセルがレガシー端末が要求するセル関連性手続のための必須なチャンネル／信号を転送しない場合もあるため、オフ状態セルによりＲＲＣ＿ＩＤＬＥレガシー端末をサポートしない理由は、レガシー端末のパフォーマンス低下を防止するためである。
【００９１】
更に、周波数間測定が次に定義される。ｎｏｎ−ＣＡできる端末のために定義された２つの測定差がある。周波数間の測定をサポートするために、ディスカバリ信号はレガシー端末測定差と共に整列されることによって転送できる。ｅＮＢまたはマクロ−ｅＮＢを制御することは測定の設定を設定したり勧告したりするようにして、他のｅＮＢがそれらのディスカバリ信号周期性／デザインで情報を反映することができる。また、ＰＳＳ／ＳＳＳ／ＣＲＳがレガシー端末の周波数間の測定差で追加でディスカバリ信号で転送できることに注目されたい。このために、レガシー端末の測定差はｅＮＢに知られなければならない。また、少なくとも追加的なオーバーヘッドを最小化するために、レガシー端末のうち、測定差を整列することは好ましい。ＣＲＳは、６ＰＲＢで転送されることができ、またＰＳＳ／ＳＳＳはレガシープロトコルによって転送できる。このような情報は次世代端末に知られるようにして、信号が衝突する時に端末測定プロセスまたは優先順位決定またはデータレートマッチングで反映できる。例えば、ＣＲＳ無効化能力を有する次世代端末は無効化を成功的に遂行するために、隣のセルのＣＲＳ転送パターンを知る必要がある。でなければ、端末はＣＲＳ転送を仮定することない最初の場合、及びＣＲＳ転送がある他の場合である２つの場合のブラインドデコーディングを遂行することができる。ブラインド検出に基づいて、端末はＣＲＳが転送されるか、該当サブフレームにないかのうち、１つを識別することができる。端末がＣＡ能力があり、マクロセルがセルを遂行するセルオン／オフのうち、ＳＣｅｌｌを設定することを希望すれば、端末のアップリンク信号はＳＣｅｌｌのための潜在的な最も良いセルを識別するために使われることができ、ＳＣｅｌｌ追加の一般的な手続は候補者セルが活性化され、継続的に測定信号を転送することを始めた後に遂行できる。この場合に、設定がアップリンク転送の資源及び時間情報を含めれば、サービングセルはＰＲＡＣＨの設定または実際のアップリンク転送の前に候補者セルにより端末モニタリングのために使われる如何なる他のアップリンク信号でも知らせることができる。ｅＮＢ通信（例えば、Ｘ２またはＸ２シグナリング）を通じて反静的に（ｓｅｍｉ−ｓｔａｔｉｃａｌｌｙ）または動的に（ｄｙｎａｍｉｃａｌｌｙ）設定されるこの設定を受信するとすぐに、端末が潜在的な隣のセルをモニタリングすることができ、端末による測定結果はサービングセルに送られることができる。このような測定は周期的または非周期的でありうる。
【００９２】
一方、周波数間の測定は次の通り定義できる。ＲＲＣ＿Ｃｏｎｎｅｃｔｅｄレガシー端末がセルを遂行するセルオン／オフのみによりサポートされる場合に、周波数間の測定は主としてサービングセルより良いセルを識別するためのものである。仮に、制限された測定がサポートされれば、サービングセルは制限された測定サブ集合を設定することができ、設定を隣のセルが設定されたサブフレームで測定信号を転送できるように、隣のセルに知らせることができる。または、端末アップリンク信号は潜在的なハンドオーバートリガー条件を検出するために、小型セル（または、隣のセル）の集合によりモニタリングできる。ｅＮＢが端末が端末アップリンク信号強さに基づいてｅＮＢその自体に近く動くことを検出すれば、自ら灯り、測定信号の転送を始めることができる。それで、端末が成功的に候補者の隣のセルを識別することができる。
【００９３】
または、仮に端末がＣｏＭＰ動作をサポートすれば、隣のセルの集合は端末が各隣のセルのためにＣＳＩを報告する場合、ＣｏＭＰ集合として端末に設定できる。ＣＳＩ報告に基づいて、セルはサービングセルを交換することを決定することができ、それに合せてハンドオーバー手続を遂行することができる。または、仮にサービングセルがレガシー端末が付着されたものを有すれば、隣のセルがＣＲＳのような測定信号の転送を継続的に始めるように、それの隣のセルに知らせることができる。サービングセルの品質がしきい値より小さくなれば、端末の周波数内で開始されるため、このような制限された測定、ここでメカニズムリストは端末がサービングセル上でそれの測定を報告することがより悪くなれば、トリガーされるか、または設定されることに更に制限できる。例えば、隣のセルの周波数内の測定及びトリガーリング（測定信号を転送するために）は、該当地点で設定できる。または、近接した少なくとも１つのレガシー端末があることを検出すれば、単純に隣のセルは端末ハンドオーバーを助けるために測定信号を転送するように始める。これをトリガーするために、サービングセルが端末がハンドオーバーが必要であることを検出すれば（端末測定を受信するか、または端末アップリンク信号強さをモニタリングするもののうちの１つにより）、隣のセルのうち、周波数内にトリガーする。隣のセルがトリガーメッセージを受信すれば、測定信号の転送は開始できる。
【００９４】
図８は、本発明の好ましい実施形態としてセルオン／オフによるＲＲＭサポート技法を示す。
【００９５】
周波数内の測定差及び制限された測定設定に依存して、本発明は測定信号が転送、または省略できるか否かが影響を受けることを示す。例えば、単純な解決策は毎５ｍｓｅｃ（または、１０ｍｓｅｃ）毎にＰＳＳ／ＳＳＳを転送することと、ＣＲＳを転送すること、または（１）レガシー端末の周波数間測定差パターン、及び（２）レガシー端末の周波数間測定設定（継続的であるか、または制限された測定集合が考慮できる）に依存しないものか否かを決定するものになる。付近または隣接したレガシー端末に更に制限されることもできる。
【００９６】
ＰＳＳ／ＳＳＳ／ＣＲＳを転送することは、次のパターンのうちの１つを有することができる。休眠／オフ状態で、ＰＳＳ／ＳＳＳ／ＣＲＳは転送されないことがある。ＰＳＳ／ＳＳＳ／ＣＲＳの継続的な転送について言えば、セルは測定信号の転送を維持することができる。しかしながら、システム情報及びＲＲＣ＿Ｉｄｌｅ  ｍｏｄｅ  ＵＥｓのためにサポートされるページングのような他の情報は転送されないことがある。他の方法に、６ｍｓｅｃ  ＰＳＳ／ＳＳＳ／ＣＲＳ転送のチャンク（ｃｈｕｎｋ）も毎４０ｍｓｅｃ毎に転送できる。この場合、可変オフセットと共に毎４０ｍｓｅｃで６ｍｓｅｃ間測定信号は転送できるか（即ち、４０ｍｓｅｃ周期性、６ｍｓｅｃ持続期間、サブフレームを開始することは変わることができる）、または６ｍｓｅｃ  ＰＳＳ／ＳＳＳ／ＣＲＳ転送のチャンクが毎８０ｍｓｅｃ毎に転送できる。この場合に、測定信号は可変オフセットと共に８ｍｓｅｃ毎に６ｍｓｅｃの間に転送できる（即ち、８０ｍｓｅｃ周期性、６ｍｓｅｃ持続時間、開始するサブフレームは変わることができる）。
【００９７】
上記パターンのうちの１つは、追加で信号を発見するか、またはディスカバリ信号を取り替えることに使われるか、ディスカバリ信号として使用できる。上位パターンのうちの１つをリストのうちに更に他のパターンに切換することは、動的にまたは反静的に遂行できる。これをサポートするために、ｅＮＢは使われたパターンまたは隣のセルが使用するために要請するパターンを交換する。端末は、選択されたパターンと共に知ることができるか、またはパターンが変化するように適切にＲＳオーバーヘッド及び他のシグナリング衝突ハンドリング（ｓｉｇｎａｌｉｎｇ  ｃｏｌｉｉｓｉｏｎ  ｈａｎｄｌｉｎｇ）を予想すれば、新たなパターンに再設定できる。でなければ、端末はパターンが使われることを識別するためのブラインド検出を遂行することができる。パターンを知ることができない各端末は各パターンのためのＣＲＳ転送のブラインド検出（ｂｌｉｎｄ  ｄｅｔｅｃｔｉｏｎ；ＢＤ）を遂行することができ、その次にパターンが使われることを決定する。
【００９８】
パターンに対する情報は、データレートマッチング、衝突イシューまたはＣＲＳ、及び同期化信号の無効化のような効率的な動作のために活用できる。その上、これはオン状態が継続的にＣＲＳを転送し、オフ状態がパターンと共にＣＲＳを転送すれば、‘オン’及び‘オフ’状態を区別するためにも延長できる。ＣＲＳ転送に関して、２つのＯＦＤＭシンボルのみがＭＢＳＦＮが実現可能なサブフレーム（例えば、ＦＤＤに対し、＃１、＃２、＃３、＃６、＃７、＃８、ＴＤＤに対し、＃３、＃４、＃７、＃８、及び＃９）でＣＲＳを転送することがより考慮できることが注目に値する。その上、ＣＲＳポートの個数に関し、ＣＲＳポート０が測定信号転送のために使われると仮定できる。勿論、でなければ、ＣＲＳポートの同一な個数は仮にＣＲＳが転送されれば、セルオン／オフ状態に関わらず、使われると仮定できる。
【００９９】
これをサポートするために、次世代端末は測定／セル検出に基づいて次世代ディスカバリ信号をサポートするか、またはサポートしないか否かを送らなければならない。仮に、次世代端末がディスカバリ信号の向上をサポートしなければ、レガシー端末として考慮されなければならない。このようなパターンが使用できれば、端末は向上したディスカバリ信号のうちの１つ及びレガシー測定信号のうちの他の  ものと共に、２つの異なる測定信号を経験することができる。
【０１００】
レガシー端末をサポートするために測定信号を不規則的に／動的に転送するためのこのような接近は、次世代端末で複雑度を増加させることができる。次世代端末で複雑度も減少させるための単純性のために、本発明は次世代端末が仮にディスカバリ信号が存在する場合のみにディスカバリ信号を使用して周波数内及び周波数間測定を遂行することを示すための優先順位を有する。
【０１０１】
追加的なディスカバリ信号またはレガシー信号の転送を処理するための単純な接近はこのような信号を無視するものである。言い換えると、このような信号は次世代端末の観点から干渉として仮定され、このように測定のために使われない。しかしながら、このような信号及び他のチャンネル／信号、例えば、レガシー端末測定のためのＰＳＳ／ＳＳＳ、及び次世代端末ＣＳＩ測定のためのＣＳＩ−ＲＳが衝突すれば、如何なるハンドリング（ｈａｎｄｌｉｎｇ）は必須的である。このような場合に対して注意するために、本発明は以下のような信号を処理（ｐｒｏｃｅｓｓ）することを示す。
【０１０２】
ＰＳＳ／ＳＳＳ、及びＣＳＩ−ＲＳ衝突に対し、仮にレガシー及び／又は次世代端末に設定されたＣＳＩ−ＲＳがレガシー端末測定をサポートするために転送されるＰＳＳ／ＳＳＳと衝突すれば、本発明はＰＳＳ／ＳＳＳと共に衝突するＣＳＩ−ＲＳ設定が衝突サブフレームで転送されないことを仮定することができる。これをサポートするために、レガシー端末をサポートするためにディスカバリ信号を追加でＰＳＳ／ＳＳＳ及び／又はＣＲＳ転送の設定は次世代端末に知られなければならない。このようなシグナリングの一例はサブフレームのビットマップになることができるものであり、例えば、各ビットがＰＳＳ／ＳＳＳ及び／又はＣＲＳか否かを指示する場合、４０個のサブフレームは該当サブフレームで転送される。
【０１０３】
または、ＣＲＳ及びディスカバリ信号衝突に対し、仮にディスカバリ信号が多重化能力（ｍｕｌｔｉｐｌｅｘｉｎｇ  ｃａｐａｂｉｌｉｔｙ）を最大化するためにＣＲＳ転送のためにも使われるＲＥｓを使用すれば、ＣＲＳ及びディスカバリ信号が衝突できる場合になることができる。この場合に、ディスカバリ信号が高い優先順位を有するか、またはＣＲＳが高い優先順位を有すると仮定することができる。仮に、ディスカバリ信号が高い優先順位を有すれば、ディスカバリ信号と衝突するあるＣＲＳ  ＲＥｓはパンチャリング（ｐｕｎｃｔｕｒｉｎｇ）できるか、または全体サブフレームがＣＲＳを伝達しないことがある。仮に、ＣＲＳが高い優先順位を有すれば、ＣＲＳと衝突するあるディスカバリＲＥｓはパンチャリングできるか、または全体サブフレームがディスカバリ信号を伝達しないことがある。
【０１０４】
または、ＰＳＳ／ＳＳＳ及びディスカバリ信号衝突に対し、ＣＲＳ及びディスカバリ信号衝突と類似している。いずれか１つの信号は高い優先順位を有する。ＰＳＳ／ＳＳＳが検出時間に関して端末パフォーマンスの低下を若干もたらすことがあるので、ディスカバリ信号よりＰＳＳ／ＳＳＳを低める（ｄｒｏｐ）ことが好ましい。しかしながら、他の方法も考慮できる。この場合に、低い優先順位の信号のうちの１つは低くなったりパンチャリングされたりする。
【０１０５】
または、ＣＲＳ  Ｖ−ｓｈｉｆｔイシューはサポートできる。仮に、ディスカバリ信号がＣＲＳ  Ｖ−ｓｈｉｆｔを使用しなければ、１つのサブフレームがレガシー端末及びディスカバリ信号のためのＶ−ｓｈｉｆｔのないＣＲＳをサポートするためのＶ−ｓｈｉｆｔと共にＣＲＳを転送しなければならないことがまた可能である。この場合に、ＣＲＳ及びディスカバリ信号衝突の接近は使用できる。
【０１０６】
一方、ＰＭＣＨ及びディスカバリ信号衝突に対し、本発明はＭＢＭＳサービスを受信している端末がサブフレームでディスカバリ信号を読み取ることを期待しないように処理する。ディスカバリ信号が転送されることだけでなく、ＰＭＣＨも相変らず転送され、ＰＭＣＨを読み取らない他の端末はディスカバリ信号を読み取ることを相変らず可能である。
【０１０７】
図８を参照すると、端末はセル１及びセル２がＰＳＳ／ＳＳＳ及び／又はＣＲＳを転送する場合、設定またはサブフレームから差またはオフセットを有する予め設定された無線フレーム（または、サブフレーム）を使用して予め指定されたサブフレームで転送されるためにディスカバリ信号８２０を聞くことによって、セル１及びセル２の２つのセルを検出することができる。より詳しくは、レガシー端末の周波数間測定に対し、端末１  ８０１及び端末２  ８０２は４０または８０ｍｓｅｃのような２つの測定差がｎｏｎ−ＣＡできる端末のために定義されることに適用できる。端末１及び端末２は測定差と共に整列されることによって、転送されるディスカバリ信号８２０を検出することができる（８４０）。ここで、ｅＮＢまたはマクロ−ｅＮＢを制御することは測定差の設定を設定するか、または勧告できるようにして、セル１及びセル２がそれらのディスカバリ信号周期性での情報を反映することができる。
【０１０８】
少なくとも１つのディスカバリ信号８２０を発見した後、端末１または端末２はセル１との小型セル階層にデータオフローディング（ｄａｔａ  ｏｆｆｌｏａｄｉｎｇ）を処理するために小型セルをｗａｋｅ−ｕｐしなければならない（８３０）。端末は、オフ状態からオン状態にセル１をｗａｋｅ−ｕｐするためにＰＲＡＣＨ、ＳＲＳ、及びＰＵＳＣＨ予め設定されるか、または予め定義された信号のうちの１つを通じてｗａｋｅ−ｕｐ信号を転送することができる（８３５）。小型セル１はｗａｋｅ−ｕｐ信号を受信するとすぐに、少なくともＴｍｓｅｃの間と共にオン状態であり、Ｔｍｓｅｃは設定されるか、または予め決定できる。例えば、Ｔ＝０、１００、２００である。また、端末１または端末２が端末１及び端末２の周波数間の測定差でディスカバリ信号を追加で転送されるＲＲＭ信号のためのＰＳＳ／ＳＳＳ／ＣＲＳを使用して周波数間測定を遂行することができ、セル１がセル１または制御するｅＮＢ（ｃｏｎｔｒｏｌｌｉｎｇ  ｅＮＢ）、またはマクロ−ｅＮＢにデータ転送することがよいというＲＲＭ結果を報告することができる。
【０１０９】
このように、端末１または端末２はオン状態セル１上で測定信号を確認し、測定結果（８４０、８４１、８４３、及び８４５）を使用してハンドオーバーすることを選択することができる。ここで、セルオン（８２０）またはセルオフ（８２５）状態はセルオフが測定信号のためのＤＴＸセルであるので、どんな測定信号でも常に送って受信しない不活性化セル、または予め設定されたセルになることができ、セルオン（ｃｅｌｌ  ｏｎ）は測定信号のための継続的なＤＴＸセルであるので、どんな測定信号でも常に送って受信する活性化セル、または予め設定されたセルになることができることを含む。それで、端末１または端末２はセル（再）選択を速くて正確に遂行することができる（８３７）。
【０１１０】
また、本発明は測定結果が端末１または端末２のサービングセルに送られて、測定がセルオン／オフ状態を考慮して周期的または非周期的になることができることを含む。また、端末１及び端末２がＰｃｅｌｌ（Ｐｒｉｍａｒｙ  ｃｅｌｌ）のためにＲＬＭ（ｒａｄｉｏ  ｌｉｎｋ  ｍｏｎｉｔｏｒｉｎｇ）及びＲＲＭ（Ｒａｄｉｏ  Ｒｅｓｏｕｒｃｅ  Ｍａｎａｇｅｍｅｎｔ）の制限された測定、ＰＣＩ（Ｐｈｙｓｉｃａｌ  Ｃｅｌｌ  ＩＤ）により指示されるセル上でＲＲＭの制限された測定または制限されたＣＳＩ（Ｃｈａｎｎｅｌ  Ｓｔａｔｅ  Ｉｎｆｏｒｍａｔｉｏｎ）測定、またはマクロｅＮＢのＰｃｅｌｌのためのＲＬＭ及びＲＲＭの測定、及び小型セルｅＮＢのＳｕｐｅｒ  ＳＣｅｌｌまたはＭａｓｔｅｒ  ＳＣｅｌｌのためのＲＬＭ及びＲＲＭの測定のうちの１つを設定することによって測定を遂行することができる（８４３）。
【０１１１】
セル調査または測定と関連した次世代端末のための更に他のイシューは、セル及びレガシーセルを遂行するセルオン／オフが共存している場合である。単純な例示を図９に示す。
【０１１２】
図９は、本発明が適用されるセルオン／オフ及びレガシー搬送波共存のための概念図の一例を示す。
【０１１３】
各セルが２つの搬送波（ｆ１及びｆ２）を有してオン／オフ能力（９１１、９２１）がある１つの搬送波、及びオン／オフ能力（９１２、９２２）がある残りの他の搬送波を使用する場合、端末が２つのセル（セル１及びセル２）９０１、９０２を検出できると仮定する。ディスカバリ信号を転送することに関して、４種類の選択事項が考慮できる。（１）ディスカバリ信号転送は小型セルが常にディスカバリ信号を転送するように義務的である、（２）ディスカバリ信号転送はセルオン／オフ機能性に関わらず、選択的にサポートできる、（３）ディスカバリ信号はセルオン／オフのみ適用されれば転送できる、（４）ディスカバリ信号は搬送波がディスカバリ信号を転送するか、または転送しないことを選択できるように設定することができる。
【０１１４】
このように、端末が搬送波がディスカバリ信号を転送するか転送しないかを知ることは必須的である。信号が端末の測定のために使用することに識別することに関して、メカニズムをシグナリングする若干の代案が考慮できる。仮に、ディスカバリ信号が設定可能であれば、即ち、ディスカバリ信号の周期性及び／又はオフセットはマクロ−セル及び端末が周波数のためのディスカバリ信号情報に設定されるように、サービングセルにより設定されることができ、端末は該当周波数でセル探索でのディスカバリ信号上で高い優先順位に置くことができる。仮に、ディスカバリ信号情報が設定されれば、ディスカバリ信号は該当周波数で使われないと仮定する。ディスカバリ信号無しで搬送波を探索するか否が設定できるか、または仮定されたディスカバリ信号無しで端末の選択または追加的な探索も遂行される。
【０１１５】
一方、仮にディスカバリ信号が次世代搬送波、即ち新たなｅＮＢの義務的な特性により転送されれば、端末は搬送波が次世代ｅＮＢまたは盲目的にディスカバリ信号を検出するかによって提供されたかを知らなければならない。端末は、ディスカバリ信号及びレガシー同期化／測定信号を探すことを試みる。ディスカバリ信号により識別されるセルに対し、レガシー測定結果が効率的でないことがあるので、  端末はレガシー測定プロセスを遂行しないことがある。
【０１１６】
端末が次世代ディスカバリ信号及びレガシー同期化及び測定信号のための２つ信号全てで測定を遂行すれば、報告するための次世代ディスカバリ信号及びレガシー同期化のための２つ信号のうちの１つを決定することが決定されなければならない。
【０１１７】
仮に、イベントトリガー（ｅｖｅｎｔ  ｔｒｉｇｇｅｒｅｄ）または周期的な報告と共にイベントトリガーが使用されれば、各信号と共に使われる個別的な条件が仮定できる。このように、個別的な報告は仮定できる。でなければ、ディスカバリ信号デザインに関わらず、端末が単一基準（即ち、１つの条件集合のみが使用可能である）に基づいて報告することが仮定できる。または、個別的なオフセットのみ仮定される。例えば、仮にディスカバリ信号が測定のために使用されれば、追加的なオフセットはサービングセルにより設定されることが肯定的または否定的でありうる場合に使用できる。
【０１１８】
周波数間測定に関し、設定された測定差の内の端末は信号両方ともを探索するか、またはサービングセルは各周波数階層のために仮定されるディスカバリ信号類型を指示することができる。しかしながら、セルＩＤ及び／又は他の手段により識別される同一な搬送波に対し、１つのディスカバリ信号のみが仮定される。ディスカバリ信号類型は、セル探索が発生すれば決定できるか、または仮にただ１つを探して報告すれば端末は両方とも維持する。曖昧さが存在する場合を考慮するために、即ち、サービングセルはディスカバリ信号類型が測定のために使われるかが分からない。端末は、サービングセルから要請上で情報を送ることができるだけでなく、測定報告と共に類型を報告することもできる。その上、仮に次世代端末が長い測定差間隔（ｌｏｎｇｅｒ  ｍｅａｓｕｒｅｍｅｎｔ  ｇａｐ  ｉｎｔｅｒｖａｌ）、例えば１６０ｍｓｅｃまたは２００ｍｓｅｃのようなノン−レガシー（ｎｏｎ−ｌｅｇａｃｙ）測定差パターンと共に設定されれば、ディスカバリ信号が周波数間測定で使われることを仮定することができる。より詳しくは、次世代端末であってもレガシー端末がより良い正確度のために転送されることを知ると、それの測定のためにレガシー信号を選択することができる。または、どんなものを端末のために使用しなければならないのか、次世代ディスカバリ信号をサポートするサービングセルにより設定できる。
【０１１９】
図１０は、本発明の実施形態に従う無線通信システムを示すブロック図である。
【０１２０】
基地局１０５０は、プロセッサ１０５１（ｐｒｏｃｅｓｓｏｒ）、メモリ１０５２（ｍｅｍｏｒｙ）、及びＲＦ部１０５３（Ｒａｄｉｏ  Ｆｒｅｑｕｅｎｃｙ  ｕｎｉｔ）を含む。メモリ１０５２はプロセッサ１０５１に連結されて、プロセッサ１０５１を駆動するための多様な情報を格納する。ＲＦ部１０５３はプロセッサ１０５１に連結されて、無線信号を転送及び／又は受信する。プロセッサ１０５１は提案された機能、過程、及び／又は方法を具現する。図２から図９までの実施形態において、基地局の動作はプロセッサ１０５１により具現できる。
【０１２１】
特に、プロセッサ１０５１は互いに異なる周波数と１つまたはその以上のセルを設定することができ、本発明でプロセッサ１０５１は反永続的スケジューリング（Ｓｅｍｉ−Ｐｅｒｓｉｓｔｅｎｔ  Ｓｃｈｅｄｕｌｉｎｇ）、ＴＴＩ−バンドリング（ＴＴＩ−ｂｕｎｄｌｉｎｇ）、ＨＡＲＱ−ＡＣＫ手続をサポートするためにセルを設定する。プロセッサ１０５１は、小型セル環境をサポートするために端末により開始される初期要請のためのＤ２Ｄ設定及び次世代アップリンク設定で一般ＲＡＣＨ、ＳＲＳ、またはディスカバリ信号間に設定の集合を設定することができる。例えば、ＲＡＣＨ手続を遂行する前に端末による初期要請に対し、プロセッサ１０５１は端末の初期要請メッセージのためのプリアンブル、周波数、シーケンスを設定し、提供することができ、ディスカバリ信号を検出することによって、ユーザＩＤ、資源、時間情報を使われると仮定できる。ここで、プロセッサ１０５１は互いに異なるＰＳＳ／ＳＳＳまたは互いに異なる周期性に転送されること、またはレガシーディスカバリからの要求を含むディスカバリ信号を設定することができる。
【０１２２】
これは、プロセッサ１０５１が類似のＲＡＣＨ手続、ＰＵＣＣＨ、ＰＵＳＣＨ、または反永続的予約（Ｓｅｍｉ−Ｐｅｒｓｉｓｔｅｎｔ  Ｒｅｓｅｒｖａｔｉｏｎ）などのために類似の技法のための資源を設定できるということである。または、プロセッサ１０５１はレガシー端末及び次世代端末の間に電力を含むアップリンク、ＳＲＳ、またはＲＡＣＨパラメータの集合を設定することができる。Ｃ−ＲＮＴＩ、Ｐ−ＲＮＴＩ、ＲＡ−ＲＮＴＩｓ、ＳＲＳ／ＲＡＣＨ／アップリンク設定として使用するユーザＩＤ、及びそれらのための電力は設定の各機能のために個別的に設定することができる。集成された設定が必要であることが決定されれば、ユーザＩＤ、ＳＲＳ設定、クラスタのための電力はオフセット、デルタ、及び他の値と共に一般設定から仮定されるために設定できる。ＳＲＳ設定は周期的及び／又は非周期的ＳＲＳ設定を含む。
【０１２３】
その上、プロセッサ１０５１は追加的なアップリンク資源及びレガシーアップリンク割当の再使用を再設定できるので、アップリンク資源は全体帯域幅、中心２、４、６ＰＲＢ、またはディスカバリ信号、ＣＰ長さに相応するプリアンブルフォーマット１、２、４のアップリンク資源が使用できる帯域幅内に連続した２または４または６ＰＲＢを含む。そして、設定インデックス、シーケンス、周波数などはＲＡＣＨ設定及びディスカバリ信号のＳＲＳ／Ｄ２Ｄから仮定され、再使用される。
【０１２４】
無線装置１０６０は、プロセッサ１０６１（ｐｒｏｃｅｓｓｏｒ）、メモリ１０６２（ｍｅｍｏｒｙ）、及びＲＦ部１０６３（Ｒａｄｉｏ  Ｆｒｅｑｕｅｎｃｙ  ｕｎｉｔ）を含む。メモリ１０６２はプロセッサ１０６１に連結されて、プロセッサ１０６１を駆動するための多様な情報を格納する。ＲＦ部１０６３はプロセッサ１０６１に連結されて、無線信号を転送及び／又は受信する。プロセッサ１０６１は、提案された機能、過程、及び／又は方法を具現する。図２から図９までの実施形態において、基地局の動作はプロセッサ１０６１により具現できる。
【０１２５】
特に、小型セル環境に対し、プロセッサ１０６１はＤ２Ｄ手続、ＰＵＳＣＨ、または反永続的予約などでＲＡＣＨまたは類似のＳＲＳまたはディスカバリ信号のための類似の技法を使用することによって、初期要請のための資源を設定することができる。また、プロセッサ１０６１はディスカバリ信号を検出するためにセルにより共有されるユーザＩＤを設定することができ、セルからのＲＡＣＨのためのシステム情報及び同期化信号を獲得する前に初期要請メッセージを送ることができる。ここで、プロセッサ１０６１は初期要請メッセージのために予め指定されたアップリンク資源、ＲＡＣＨ設定を使用することによって、測定またはＤ２Ｄディスカバリ信号のためのＳＲＳ設定を制御し、使用することができる。これは、プロセッサ１０６１はレガシーＲＡＣＨ／ＳＲＳ／Ｄ２Ｄ及び初期要請メッセージのための新たなアップリンク間の設定のサブ集合が設定されたか否か、初期要請メッセージのための新たなアップリンクのための制御電力、サブフレーム、及び資源ブロックを確認することができる。より詳しくは、プロセッサ１０６１はＤ２Ｄで一般ＲＡＣＨ、ＳＲＳ、またはディスカバリ信号及び初期要請のための次世代機能間にＤ２ＤパラメータでＲＡＣＨ、ＳＲＳ、またはディスカバリ信号の集合を設定することができる。ＲＡＣＨ手続の前に初期要請の例として、プロセッサ１０６１はディスカバリ信号を検出することによって、識別されたＩＤを使用してプリアンブルフォーマット、ＲＡＣＨ周波数、ＲＡＣＨシーケンスを設定することを受信し、決定することができる。ここで、検出されたディスカバリ信号はＰＳＳ／ＳＳＳと異なるか、または互いに異なる周期性または要求で転送できる。
【０１２６】
プロセッサ１０６１は、データ転送または転送効率性のためにｗａｋｅ−ｕｐするためのセルを変化させる必要があれば、ディスカバリ信号により獲得されたプリアンブル及びＣＰ（ｃｙｃｌｉｃ  ｐｒｅｆｉｘ）長さを使用して初期要請メッセージをＤＴＸ状態のセル、初期要請メッセージによりＤＴＸ状態からシステム情報及び同期化信号のためにＴＸ（ｃｏｎｔｉｎｕｏｕｓ  ｔｒａｎｓｍｉｓｓｉｏｎ）状態に変化されたセルに転送することを制御することができる。このように、プロセッサ１０６１はＲＡＣＨ設定を獲得する前にＤＴＸからＴＸにセルの状態を変化させるように命令するために端末の初期要請メッセージによりＲＡＣＨ（Ｒａｎｄｏｍ  Ａｃｃｅｓｓ）手続を遂行することができる。より効率的で、速い初期アクセス、及び端末開始によるデータスケジューリングがサポートされる。
【０１２７】
そして、プロセッサ１０６１はスクランブリングで互いに異なるセルＩＤまたは仮想ＩＤが使われるように決定できるので、端末はセルが活性化状態または不活性化状態か否かが分かる。また、プロセッサ１０６１は制限された測定及びレガシー測定対象のための次世代測定を含む適応的な測定集合を設定し、測定設定で測定類型に相応する制限された測定で設定されたサブフレームで測定信号を使用して測定を遂行する。プロセッサ１０６１は、ディスカバリ信号または予め指定されたＰＲＢまたは資源でＣＲＳ／ＴＲＳ（または、ＣＳＩ−ＲＳ）を含むＮＲＳ（ｍｅａｓｕｒｅｍｅｎｔ  ｒｅｆｅｒｅｎｃｅ  ｓｉｇｎａｌ）のような測定信号を受信し、確認することができる。また、プロセッサ１０６１は測定ターゲットセルに従う予め指定された帯域幅で測定信号を受信することができる。プロセッサ１０６１は、セルが制限された測定のためにオン状態またはオフ状態であることを考慮することによって、測定を遂行することができる。
【０１２８】
プロセッサ１０６１は、セルがオンまたはオフか否かを決定することができ、測定類型が第１の測定対象を指示すれば、セル情報により指示されるセルが測定信号のためのＤＴＸ（ｄｉｓｃｏｎｔｉｎｕｏｕｓ  ｔｒａｎｓｍｉｓｓｉｏｎ）セルであることを送ることができ、測定類型が第２の測定対象を指示すれば、セル情報により指示されるセルは測定信号のためのＴＸ（ｃｏｎｔｉｎｕｏｕｓ  ｔｒａｎｓｍｉｓｓｉｏｎ）セルである。また、無線装置１０６０は測定類型が第１の測定対象を指示すれば、セル情報により指示されるセルが不活性化セルであり、測定類型が第２の測定対象を指示すれば、セル情報により指示されるセルが活性化セルであることを決定することができる。または、無線装置１０６０は測定類型が第１の測定対象を指示すれば、セル情報により指示されるセルが測定信号を受信するためのオフ状態セルであり、測定類型が第２の測定対象を指示すれば、セル情報により指示されるセルが測定信号を受信するためのオン状態セルであることを決定することができる。
【０１２９】
プロセッサは、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路、及び／又はデータ処理装置を含むことができる。メモリは、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体、及び／又は他の格納装置を含むことができる。ＲＦ部は、無線信号を処理するためのベースバンド回路を含むことができる。実施形態がソフトウェアで具現される時、前述した技法は前述した機能を遂行するモジュール（過程、機能など）で具現できる。モジュールはメモリに格納され、プロセッサにより実行できる。メモリはプロセッサの内部または外部で具現されることができ、よく知られた多様な手段によりプロセッサと通信に関して連結できる。
【０１３０】
前述した例示的なシステムにおいて、方法は一連のステップまたはブロックでフローチャートに基づいて説明されているが、本発明はステップの順序に限定されるものではなく、あるステップは前述したことと異なるステップと異なる順序で同時に発生することができる。また、当業者であれば、順序図に示したステップが排他的でなく、他のステップが含まれるか、または順序図の１つまたはその以上のステップが本発明の範囲に影響を及ぼさず、削除できることを理解することができる。
【図１】
2016508686.tif 000008
【図２】
2016508686.tif 000009
【図３】
2016508686.tif 000010
【図４】
2016508686.tif 000011
【図５】
2016508686.tif 000012
【図６】
2016508686.tif 000013
【図７】
2016508686.tif 000014
【図８】
2016508686.tif 000015
【図９】
2016508686.tif 000016
【図１０】
2016508686.tif 000017
【手続補正書】
【提出日】平成27年7月24日(2015.7.24)
【手続補正１】
【補正対象書類名】特許請求の範囲
【補正対象項目名】全文
【補正方法】変更
【補正の内容】
【特許請求の範囲】
【請求項１】
無線通信システムにおいて測定を遂行する方法であって、該方法は、
端末によって、第１のタイプの信号を用いることによる測定を遂行することと、
該端末によって、第２のタイプの信号の設定を受信することであって、該第２のタイプの信号の設定は、該第２のタイプの信号の周期性とオフセットとを示し、該第２のタイプの信号は、ディスカバリ信号である、ことと、
該端末によって、該第２のタイプの信号を用いることによる測定を遂行することであって、該第２のタイプの信号は、所定の持続期間中に受信された、一次同期化信号（ＰＳＳ）と、二次同期化信号（ＳＳＳ）と、セル特定基準信号（ＣＲＳ）とを含む、ことと
を含む、方法。
【請求項２】
前記設定は、上位階層の信号伝達を介して受信される、請求項１に記載の方法。
【請求項３】
前記所定の持続期間は、６ミリ秒に設定され、前記周期性は、４０ミリ秒または８０ミリ秒に設定される、請求項１に記載の方法。
【請求項４】
前記第２のタイプの信号は、オン／オフ動作をサポートするように設定されたセルから受信される、請求項１に記載の方法。
【請求項５】
移動体通信システムにおいて測定を遂行する端末（ＵＥ）であって、該ＵＥは、
無線信号を受信するように設定されたトランシーバと、
プロセッサであって、
第１のタイプの信号を用いることによる測定を遂行することと、
第２のタイプの信号の設定を受信することであって、該第２のタイプの信号の設定は、該第２のタイプの信号の周期性とオフセットとを示し、該第２のタイプの信号は、ディスカバリ信号である、ことと、
該第２のタイプの信号を用いることによる測定を遂行することであって、該第２のタイプの信号は、所定の持続期間中に受信された、一次同期化信号（ＰＳＳ）と、二次同期化信号（ＳＳＳ）と、セル特定基準信号（ＣＲＳ）とを含む、ことと
第２のセルから受信されたディスカバリ信号の測定設定情報を受信することであって、該測定設定情報は、該ディスカバリ信号の周波数と、該ディスカバリ信号の周期性と、該ディスカバリ信号のサブフレームオフセットとを示し、該測定設定情報は、無線リソース制御（ＲＲＣ）メッセージを介して受信される、ことと、
該ディスカバリ信号を搬送する直交周波数分割多重（ＯＦＤＭ）シンボルに対して無線リソース測定を遂行することと
を行うように設定されたプロセッサと
を含む、ＵＥ。
【請求項６】
前記設定は、上位階層の信号伝達を介して受信される、請求項５に記載のＵＥ。
【請求項７】
前記所定の持続期間は、６ミリ秒に設定され、前記周期性は、４０ミリ秒または８０ミリ秒に設定される、請求項５に記載のＵＥ。
【請求項８】
前記第２のタイプの信号は、オン／オフ動作をサポートするように設定されたセルから受信される、請求項５に記載のＵＥ。
【手続補正２】
【補正対象書類名】明細書
【補正対象項目名】００１２
【補正方法】変更
【補正の内容】
【００１２】
更に他の態様によれば、無線通信システムにおける初期アクセス手続を遂行するための無線装置が提供される。無線装置は、無線信号を送受信するためのＲＦ（ｒａｄｉｏ  ｆｒｅｑｕｅｎｃｙ）部；及び上記ＲＦ部に動作的に連結されるプロセッサを含み、かつ上記プロセッサはＤＴＸ（ｄｉｓｃｏｎｔｉｎｕｏｕｓ  ｔｒａｎｓｍｉｓｓｉｏｎ）セルからディスカバリ信号を受信することによって、ＤＴＸ状態で動作するＤＴＸセルを検出し；ＤＴＸ状態からＴＸ（ｃｏｎｔｉｎｕｏｕｓ  ｔｒａｎｓｍｉｓｓｉｏｎ）状態に転送するＤＴＸセルを要請するためにＤＴＸセルに初期要請メッセージを転送し；ＤＴＸ状態からＴＸ状態に転送するＴＸセルから同期信号を受信し；及びＴＸ状態で動作するＴＸセルと共にＲＡＣＨ（ｒａｎｄｏｍ  ａｃｃｅｓｓ）手続を遂行することを特徴とする。
例えば、本願発明は以下の項目を提供する。
（項目１）
無線通信システムにおける無線装置により遂行される初期アクセス手続を遂行するための方法であって、
ＤＴＸ（ｄｉｓｃｏｎｔｉｎｕｏｕｓ  ｔｒａｎｓｍｉｓｓｉｏｎ）セルからディスカバリ信号を受信することによってＤＴＸ状態で動作するＤＴＸセルを検出するステップと、
ＤＴＸ状態からＴＸ（ｃｏｎｔｉｎｕｏｕｓ  ｔｒａｎｓｍｉｓｓｉｏｎ）状態に転送するＤＴＸセルを要請するためにＤＴＸセルに初期要請メッセージを転送するステップと、
ＤＴＸ状態からＴＸ状態に転送するＴＸセルから同期信号を受信するステップと、
ＴＸ状態で動作するＴＸセルと共にＲＡＣＨ（ｒａｎｄｏｍ  ａｃｃｅｓｓ）手続を遂行するステップと、
を含むことを特徴とする、方法。
（項目２）
前記ＤＴＸ状態で前記ＤＴＸセルが前記ＴＸ状態で転送される参照信号及び同期信号の数より少ない参照信号及び同期信号を転送することを特徴とする、項目１に記載の方法。
（項目３）
前記ＤＴＸ状態で前記ＤＴＸセルがシステム情報を転送しないことをさらに含むことを特徴とする、項目２に記載の方法。
（項目４）
前記初期要請メッセージを転送するための設定を獲得するステップをさらに含み、かつ前記設定はサブフレーム情報及び資源情報を含み、前記サブフレーム情報は前記ディスカバリ信号が受信されるサブフレームと前記初期要請メッセージが転送されるサブフレーム間のサブフレーム差（ｇａｐ）を指示し、前記資源情報は前記ディスカバリ信号が受信される帯域幅内の少なくとも２つの資源ブロックを指示し、シーケンス設定は前記ディスカバリ信号から得られたシーケンスインデックス（ｓｅｑｕｅｎｃｅ  ｉｎｄｅｘ）を指示することを特徴とする、項目１に記載の方法。
（項目５）
前記初期要請メッセージは、前記ディスカバリ信号に基づいて決定されたサブフレームのうちの１つを含むサブフレームで転送されることを特徴とする、項目４に記載の方法。
（項目６）
前記初期要請メッセージは、前記ディスカバリ信号に基づいて決定されたアップリンク資源を使用して転送されることを特徴とする、項目４に記載の方法。
（項目７）
前記初期要請メッセージは、前記ディスカバリ信号から得られた前記シーケンスインデックスを使用して転送されることを特徴とする、項目４に記載の方法。
（項目８）
前記ＤＴＸ状態で前記ＤＴＸセルにより転送される前記ディスカバリ信号のための転送周期は前記ＴＸ状態で前記ＴＸセルにより転送される測定信号のための転送周期より長いことを特徴とする、項目１に記載の方法。
（項目９）
前記ＤＴＸセルを検出するステップは、
前記ＤＲＸセルで動作する複数のセルからの複数のディスカバリ信号を受信するステップと、
前記複数のセルからＤＴＸセルを選択するステップと、
を含むことを特徴とする、項目１に記載の方法。
（項目１０）
前記ＤＴＸセルを検出するステップは、
前記複数のディスカバリ信号を受信する前に基地局から測定設定を受信するステップをさらに含み、かつ前記測定設定は前記複数のセルに対するセル情報を含み、及び測定差は前記複数のディスカバリ信号が受信されるサブフレームを含むことを特徴とする、項目９に記載の方法。
（項目１１）
無線通信システムにおける初期アクセス手続を遂行する無線装置であって、
無線信号を送受信するためのＲＦ（ｒａｄｉｏ  ｆｒｅｑｕｅｎｃｙ）部、及び
前記ＲＦ部に動作的に連結されるプロセッサを含み、かつ前記プロセッサは
ＤＴＸ（ｄｉｓｃｏｎｔｉｎｕｏｕｓ  ｔｒａｎｓｍｉｓｓｉｏｎ）セルからディスカバリ信号を受信することによってＤＴＸ状態で動作するＤＴＸセルを検出し、
ＤＴＸ状態からＴＸ（ｃｏｎｔｉｎｕｏｕｓ  ｔｒａｎｓｍｉｓｓｉｏｎ）状態に転送するＤＴＸセルを要請するためにＤＴＸセルに初期要請メッセージを転送し、
ＤＴＸ状態からＴＸ状態に転送するＴＸセルから同期信号を受信し、
ＴＸ状態で動作するＴＸセルと共にＲＡＣＨ（ｒａｎｄｏｍ  ａｃｃｅｓｓ）手続を遂行することを特徴とする、無線装置。
（項目１２）
前記プロセッサは、
前記初期要請メッセージを転送するための設定を獲得し、かつ前記設定はサブフレーム情報及び資源情報を含み、前記サブフレーム情報は前記ディスカバリ信号が受信されるサブフレームと前記初期要請メッセージが転送されるサブフレームとの間のサブフレーム差（ｇａｐ）を指示し、前記資源情報は前記ディスカバリ信号が受信される帯域幅内の少なくとも２つの資源ブロックを指示し、シーケンス設定は前記ディスカバリ信号から得られたシーケンスインデックス（ｓｅｑｕｅｎｃｅ  ｉｎｄｅｘ）を指示することを特徴とする、項目１１に記載の無線装置。
（項目１３）
前記初期要請メッセージは、前記ディスカバリ信号に基づいて決定されたアップリンク資源を使用する前記ディスカバリ信号に基づいて決定されたサブフレームのうちの１つを含むサブフレームで転送されることを特徴とする、項目１１に記載の無線装置。
（項目１４）
前記初期要請メッセージは、前記ディスカバリ信号から得られた前記シーケンスインデックスを使用して転送されることを特徴とする、項目１１に記載の無線装置。
（項目１５）
前記プロセッサは、
前記複数のディスカバリ信号を受信する前に基地局から測定設定を受信するステップをさらに含み、かつ前記測定設定は前記複数のセルに対するセル情報を含み、及び測定差は前記複数のディスカバリ信号が受信されるサブフレームを含むことを特徴とする、項目１１に記載の無線装置。
【国際調査報告】
2016508686.tif 000018
2016508686.tif 000019
2016508686.tif 000020